(57)【要約】  表示装置は、画像を表示可能な表示部と、表示部の所定の表示領域に表示するトレンド画面のデータを生成するトレンド画面生成部と、トレンド画面内で設定される互いに異なる複数の関心領域の情報をトレンド画面とともに表示する関心領域表示画面のデータを生成する関心領域表示画面生成部と、複数の関心領域を拡大した拡大トレンド画面のデータを生成する拡大トレンド画面生成部と、複数の関心領域の設定入力および拡大トレンド画面の生成指示入力を受け付ける入力部と、トレンド画面、関心領域表示画面および拡大トレンド画面を表示部にそれぞれ表示させる表示制御部と、を備える。
2016143140.tif 000002
【特許請求の範囲】
【請求項１】
画像を表示可能な表示部と、
前記表示部の所定の表示領域に表示するトレンド画面のデータを生成するトレンド画面生成部と、
前記トレンド画面内で設定される互いに異なる複数の関心領域の情報を前記トレンド画面とともに表示する関心領域表示画面のデータを生成する関心領域表示画面生成部と、
前記複数の関心領域を拡大した拡大トレンド画面のデータを生成する拡大トレンド画面生成部と、
前記複数の関心領域の設定入力および前記拡大トレンド画面の生成指示入力を受け付ける入力部と、
前記トレンド画面、前記関心領域表示画面および前記拡大トレンド画面を前記表示部にそれぞれ表示させる表示制御部と、
を備えたことを特徴とする表示装置。
【請求項２】
前記拡大トレンド画面生成部は、
前記複数の関心領域を拡大して一つの方向に沿って並べることによって前記拡大トレンド画面のデータを生成することを特徴とする請求項１に記載の表示装置。
【請求項３】
前記拡大トレンド画面生成部は、
前記複数の関心領域を同じ大きさで並べることによって前記拡大トレンド画面のデータを生成することを特徴とする請求項２に記載の表示装置。
【請求項４】
前記拡大トレンド画面生成部は、
前記複数の関心領域を並べる方向と直交する方向のスケールを互いに等しくすることによって前記拡大トレンド画面のデータを生成することを特徴とする請求項２に記載の表示装置。
【請求項５】
前記拡大トレンド画面生成部は、
前記複数の関心領域を拡大して重畳することによって前記拡大トレンド画面のデータを生成することを特徴とする請求項１に記載の表示装置。
【請求項６】
前記トレンド画面は、横軸を時間軸とする一方、縦軸を所定の測定値の軸として該測定値の時間変化を示すトレンドグラフを表示し、
前記拡大トレンド画面生成部は、
前記複数の関心領域をそれぞれ通過する前記トレンドグラフの各部分における線の特徴を関心領域ごとに変えることによって前記拡大トレンド画面のデータを生成することを特徴とする請求項５に記載の表示装置。
【請求項７】
前記トレンド画面は、横軸を時間軸とする一方、縦軸を所定の測定値の軸として該測定値の時間変化を示すトレンドグラフを表示し、
前記拡大トレンド画面生成部は、
前記複数の関心領域を通過する前記トレンドグラフのいずれか２つにおける同じ時間の測定値の差が閾値以上である領域の背景色の特性と該閾値未満である領域の背景色の特性とを変えることによって前記拡大トレンド画面のデータを生成することを特徴とする請求項５に記載の表示装置。
【請求項８】
前記複数の関心領域は、互いの面積および形状がそれぞれ同じであることを特徴とする請求項１に記載の表示装置。
【請求項９】
前記拡大トレンド画面生成部は、
前記複数の関心領域の形状をぞれぞれ保持したまま拡大することを特徴とする請求項１に記載の表示装置。
【請求項１０】
前記入力部は、
前記複数の関心領域の各々における位置、面積または形状を変更する指示入力を受け付け可能であり、
前記関心領域表示画面生成部は、
前記入力部が受け付けた指示入力に基づいて前記関心領域表示画面における前記複数の関心領域の位置、形状または大きさを変更可能であることを特徴とする請求項１に記載の表示装置。
【請求項１１】
前記関心領域画面生成部は、
前記トレンド画面内で設定される前記複数の関心領域における背景色の特性と前記トレンド画面内の前記複数の関心領域以外の非関心領域における背景色の特性とが異なる関心領域表示画面のデータを生成することを特徴とする請求項１に記載の表示装置。
【請求項１２】
前記背景色の特性は、色の透過性であることを特徴とする請求項１１に記載の表示装置。
【請求項１３】
プラントに設置された複数の機器に接続された制御装置と通信可能に接続されてなり、
前記表示部は、
前記制御装置から前記複数の機器の状態をそれぞれ示す複数の状態情報を取得して表示することを特徴とする請求項１に記載の表示装置。
【請求項１４】
前記トレンド画面は、
前記複数の状態情報の少なくともいずれか一つのトレンドを示すトレンドグラフを表示することを特徴とする請求項１３に記載の表示装置。
【請求項１５】
画像を表示可能な表示部と、
前記表示部の所定の表示領域に表示するトレンド画面のデータを生成するトレンド画面生成部と、
前記トレンド画面内で設定される関心領域を識別可能に表示する関心領域表示画面のデータを生成する関心領域表示画面生成部と、
前記表示領域内で少なくとも前記関心領域を拡大した拡大トレンド画面のデータを生成する拡大トレンド画面生成部と、
前記関心領域の設定入力、前記拡大トレンド画面の生成指示入力および前記関心領域のブックマーク登録指示信号の入力を受け付ける入力部と、
前記トレンド画面、前記関心領域表示画面および前記拡大トレンド画面を前記表示部にそれぞれ表示させる表示制御部と、
前記入力部が入力を受け付けたブックマーク登録指示信号に基づいて、前記関心領域に対してブックマークに登録されたことを示す情報を付加するブックマーク登録部と、
を備えたことを特徴とする表示装置。
【請求項１６】
前記入力部は、前記ブックマークに登録された前記関心領域の選択信号の入力を受け付け、
前記ブックマーク登録部によって前記ブックマークに登録された前記関心領域の情報を記憶する記憶部と、
前記記憶部から前記選択信号に対応する前記関心領域を選択する関心領域選択部と、
をさらに備えたことを特徴とする請求項１５に記載の表示装置。
【請求項１７】
前記関心領域表示画面は、
前記トレンド画面内で設定される関心領域における背景色の特性と前記トレンド画面内の前記関心領域以外の非関心領域における背景色の特性とが異なることを特徴とする請求項１５に記載の表示装置。
【請求項１８】
プラントに設置された複数の機器に接続された制御装置と、
前記制御装置と通信可能に接続され、前記制御装置から前記複数の機器の状態をそれぞれ示す複数の状態情報を取得して前記表示部で表示する請求項１に記載の表示装置と、
を備えたことを特徴とする監視システム。
【請求項１９】
プラントに設置された複数の機器に接続された制御装置と、
前記制御装置と通信可能に接続され、前記制御装置から前記複数の機器の状態をそれぞれ示す複数の状態情報を取得して前記表示部で表示する請求項１５に記載の表示装置と、
を備えたことを特徴とする監視システム。
【請求項２０】
画像を表示可能な表示部を備えた表示装置が行う表示方法であって、
前記表示部の所定の表示領域にトレンド画面を表示するトレンド画面表示ステップと、
前記トレンド画面内に含まれる複数の関心領域の設定入力を受け付ける関心領域設定ステップと、
前記トレンド画面内で設定される複数の関心領域を示す情報を前記トレンド画面とともに表示する関心領域表示画面表示ステップと、
前記複数の関心領域を拡大した拡大トレンド画面を表示する拡大トレンド画面表示ステップと、
を含むことを特徴とする表示方法。
【請求項２１】
画像を表示可能な表示部を備えた表示装置が行う表示方法であって、
前記表示部の所定の表示領域にトレンド画面を表示するトレンド画面表示ステップと、
前記トレンド画面内に含まれる関心領域の設定入力を受け付ける関心領域設定ステップと、
前記関心領域を識別可能に表示する関心領域表示画面を表示する関心領域表示画面表示ステップと、
前記表示領域内で少なくとも前記関心領域を拡大した拡大トレンド画面を表示する拡大トレンド画面表示ステップと、
ブックマーク登録指示信号の入力に応じて前記関心領域に対してブックマークに登録されたことを示す情報を付加するブックマーク登録ステップと、
を含むことを特徴とする表示方法。
【請求項２２】
画像を表示可能な表示部を備えた表示装置に、
前記表示部の所定の表示領域にトレンド画面を表示するトレンド画面表示ステップと、
前記トレンド画面内に含まれる複数の関心領域の設定入力を受け付ける関心領域設定ステップと、
前記トレンド画面内で設定される複数の関心領域を示す情報を前記トレンド画面とともに表示する関心領域表示画面表示ステップと、
前記複数の関心領域を拡大した拡大トレンド画面を表示する拡大トレンド画面表示ステップと、
を実行させることを特徴とする表示プログラム。
【請求項２３】
画像を表示可能な表示部を備えた表示装置に、
前記表示部の所定の表示領域にトレンド画面を表示するトレンド画面表示ステップと、
前記トレンド画面内に含まれる関心領域の設定入力を受け付ける関心領域設定ステップと、
前記関心領域を識別可能に表示する関心領域表示画面を表示する関心領域表示画面表示ステップと、
前記表示領域内で少なくとも前記関心領域を拡大した拡大トレンド画面を表示する拡大トレンド画面表示ステップと、
ブックマーク登録指示信号の入力に応じて前記関心領域に対してブックマークに登録されたことを示す情報を付加するブックマーク登録ステップと、
を実行させることを特徴とする表示プログラム。
【発明の詳細な説明】
【技術分野】
【０００１】
本発明は、プラントを監視する監視システムにおいて制御装置から取得した情報を表示する表示装置、該表示装置を備えた監視システム、該表示装置が実行する表示方法および表示プログラムに関する。
【背景技術】
【０００２】
従来、鉄鋼プラント、化学プラント、発電プラント等の各種プラントを対象とするプロセスの制御や監視を行うための監視システムとして、プロセスの制御を行う制御装置と、ヒューマンマシンインターフェースとしてのオペレータステーションとを備えた分散型制御システムが知られている。【０００３】
オペレータステーションは、制御装置から送られてくるプラントの状態情報に基づいた画像コンテンツの表示を行う機能を有している。このような画像コンテンツとして、例えばプラントに設けられた機器の状態情報の時間的な履歴を示すトレンド画面がある。トレンド画面では、より詳細な情報を把握するために選択した領域を拡大して表示することができる。【０００４】
トレンド画面をより見やすくするための技術として、下記特許文献１には、トレンド画面上でユーザが入力部を介して所望の領域を指定入力すると、その指定入力された領域を拡大して表示する技術が開示されている。
【先行技術文献】
【特許文献】
【０００５】
【特許文献１】特開２００５−３３２３６０号公報
【発明の概要】
【発明が解決しようとする課題】
【０００６】
しかしながら、上述した特許文献１に記載の技術では、トレンド画面上の一部領域を拡大することはできるものの、例えば複数の関心領域を比較したり、一度拡大した領域をあとで再度拡大したりするといったことまでは想定されておらず、トレンド画面上で実行できる処理が限られていた。【０００７】
本発明は、上記に鑑みてなされたものであって、トレンド画面上で多様な処理を実行することができる表示装置、監視システム、表示方法および表示プログラムを提供することを目的とする。
【課題を解決するための手段】
【０００８】
上述した課題を解決し、目的を達成するために、本発明に係る表示装置は、画像を表示可能な表示部と、前記表示部の所定の表示領域に表示するトレンド画面のデータを生成するトレンド画面生成部と、前記トレンド画面内で設定される互いに異なる複数の関心領域の情報を前記トレンド画面とともに表示する関心領域表示画面のデータを生成する関心領域表示画面生成部と、前記複数の関心領域を拡大した拡大トレンド画面のデータを生成する拡大トレンド画面生成部と、前記複数の関心領域の設定入力および前記拡大トレンド画面の生成指示入力を受け付ける入力部と、前記トレンド画面、前記関心領域表示画面および前記拡大トレンド画面を前記表示部にそれぞれ表示させる表示制御部と、を備えたことを特徴とする。【０００９】
本発明に係る表示装置は、上記発明において、前記拡大トレンド画面生成部は、前記複数の関心領域を拡大して一つの方向に沿って並べることによって前記拡大トレンド画面のデータを生成することを特徴とする。【００１０】
本発明に係る表示装置は、上記発明において、前記拡大トレンド画面生成部は、前記複数の関心領域を同じ大きさで並べることによって前記拡大トレンド画面のデータを生成することを特徴とする。【００１１】
本発明に係る表示装置は、上記発明において、前記拡大トレンド画面生成部は、前記複数の関心領域を並べる方向と直交する方向のスケールを互いに等しくすることによって前記拡大トレンド画面のデータを生成することを特徴とする。【００１２】
本発明に係る表示装置は、上記発明において、前記拡大トレンド画面生成部は、前記複数の関心領域を拡大して重畳することによって前記拡大トレンド画面のデータを生成することを特徴とする。【００１３】
本発明に係る表示装置は、上記発明において、前記トレンド画面は、横軸を時間軸とする一方、縦軸を所定の測定値の軸として該測定値の時間変化を示すトレンドグラフを表示し、前記拡大トレンド画面生成部は、前記複数の関心領域をそれぞれ通過する前記トレンドグラフの各部分における線の特徴を関心領域ごとに変えることによって前記拡大トレンド画面のデータを生成することを特徴とする。【００１４】
本発明に係る表示装置は、上記発明において、前記トレンド画面は、横軸を時間軸とする一方、縦軸を所定の測定値の軸として該測定値の時間変化を示すトレンドグラフを表示し、前記拡大トレンド画面生成部は、前記複数の関心領域を通過する前記トレンドグラフのいずれか２つにおける同じ時間の測定値の差が閾値以上である領域の背景色の特性と該閾値未満である領域の背景色の特性とを変えることによって前記拡大トレンド画面のデータを生成することを特徴とする。【００１５】
本発明に係る表示装置は、上記発明において、前記複数の関心領域は、互いの面積および形状がそれぞれ同じであることを特徴とする。【００１６】
本発明に係る表示装置は、上記発明において、前記拡大トレンド画面生成部は、前記複数の関心領域の形状をぞれぞれ保持したまま拡大することを特徴とする。【００１７】
本発明に係る表示装置は、上記発明において、前記入力部は、前記複数の関心領域の各々における位置、面積または形状を変更する指示入力を受け付け可能であり、前記関心領域表示画面生成部は、前記入力部が受け付けた指示入力に基づいて前記関心領域表示画面における前記複数の関心領域の位置、形状または大きさを変更可能であることを特徴とする。【００１８】
本発明に係る表示装置は、上記発明において、前記関心領域画面生成部は、前記トレンド画面内で設定される前記複数の関心領域における背景色の特性と前記トレンド画面内の前記複数の関心領域以外の非関心領域における背景色の特性とが異なる関心領域表示画面のデータを生成することを特徴とする。【００１９】
本発明に係る表示装置は、上記発明において、前記背景色の特性は、色の透過性であることを特徴とする。【００２０】
本発明に係る表示装置は、上記発明において、プラントに設置された複数の機器に接続された制御装置と通信可能に接続されてなり、前記表示部は、前記制御装置から前記複数の機器の状態をそれぞれ示す複数の状態情報を取得して表示することを特徴とする。【００２１】
本発明に係る表示装置は、上記発明において、前記トレンド画面は、前記複数の状態情報の少なくともいずれか一つのトレンドを示すトレンドグラフを表示することを特徴とする。【００２２】
本発明に係る表示装置は、画像を表示可能な表示部と、前記表示部の所定の表示領域に表示するトレンド画面のデータを生成するトレンド画面生成部と、前記トレンド画面内で設定される関心領域を識別可能に表示する関心領域表示画面のデータを生成する関心領域表示画面生成部と、前記表示領域内で少なくとも前記関心領域を拡大した拡大トレンド画面のデータを生成する拡大トレンド画面生成部と、前記関心領域の設定入力、前記拡大トレンド画面の生成指示入力および前記関心領域のブックマーク登録指示信号の入力を受け付ける入力部と、前記トレンド画面、前記関心領域表示画面および前記拡大トレンド画面を前記表示部にそれぞれ表示させる表示制御部と、前記入力部が入力を受け付けたブックマーク登録指示信号に基づいて、前記関心領域に対してブックマークに登録されたことを示す情報を付加するブックマーク登録部と、を備えたことを特徴とする。【００２３】
本発明に係る表示装置は、上記発明において、前記入力部は、前記ブックマークに登録された前記関心領域の選択信号の入力を受け付け、前記ブックマーク登録部によって前記ブックマークに登録された前記関心領域の情報を記憶する記憶部と、前記記憶部から前記選択信号に対応する前記関心領域を選択する関心領域選択部と、をさらに備えたことを特徴とする。【００２４】
本発明に係る表示装置は、上記発明において、前記関心領域表示画面は、前記トレンド画面内で設定される関心領域における背景色の特性と前記トレンド画面内の前記関心領域以外の非関心領域における背景色の特性とが異なることを特徴とする。【００２５】
本発明に係る監視システムは、プラントに設置された複数の機器に接続された制御装置と、前記制御装置と通信可能に接続され、前記制御装置から前記複数の機器の状態をそれぞれ示す複数の状態情報を取得して前記表示部で表示する上記の表示装置と、を備えたことを特徴とする。【００２６】
本発明に係る表示方法は、画像を表示可能な表示部を備えた表示装置が行う表示方法であって、前記表示部の所定の表示領域にトレンド画面を表示するトレンド画面表示ステップと、前記トレンド画面内に含まれる複数の関心領域の設定入力を受け付ける関心領域設定ステップと、前記トレンド画面内で設定される複数の関心領域を示す情報を前記トレンド画面とともに表示する関心領域表示画面表示ステップと、前記複数の関心領域を拡大した拡大トレンド画面を表示する拡大トレンド画面表示ステップと、を含むことを特徴とする。【００２７】
本発明に係る表示方法は、画像を表示可能な表示部を備えた表示装置が行う表示方法であって、前記表示部の所定の表示領域にトレンド画面を表示するトレンド画面表示ステップと、前記トレンド画面内に含まれる関心領域の設定入力を受け付ける関心領域設定ステップと、前記関心領域を識別可能に表示する関心領域表示画面を表示する関心領域表示画面表示ステップと、前記表示領域内で少なくとも前記関心領域を拡大した拡大トレンド画面を表示する拡大トレンド画面表示ステップと、ブックマーク登録指示信号の入力に応じて前記関心領域に対してブックマークに登録されたことを示す情報を付加するブックマーク登録ステップと、を含むことを特徴とする。【００２８】
本発明に係る表示プログラムは、画像を表示可能な表示部を備えた表示装置に、前記表示部の所定の表示領域にトレンド画面を表示するトレンド画面表示ステップと、前記トレンド画面内に含まれる複数の関心領域の設定入力を受け付ける関心領域設定ステップと、前記トレンド画面内で設定される複数の関心領域を示す情報を前記トレンド画面とともに表示する関心領域表示画面表示ステップと、前記複数の関心領域を拡大した拡大トレンド画面を表示する拡大トレンド画面表示ステップと、を実行させることを特徴とする。【００２９】
本発明に係る表示プログラムは、画像を表示可能な表示部を備えた表示装置に、前記表示部の所定の表示領域にトレンド画面を表示するトレンド画面表示ステップと、前記トレンド画面内に含まれる関心領域の設定入力を受け付ける関心領域設定ステップと、前記関心領域を識別可能に表示する関心領域表示画面を表示する関心領域表示画面表示ステップと、前記表示領域内で少なくとも前記関心領域を拡大した拡大トレンド画面を表示する拡大トレンド画面表示ステップと、ブックマーク登録指示信号の入力に応じて前記関心領域に対してブックマークに登録されたことを示す情報を付加するブックマーク登録ステップと、を実行させることを特徴とする。
【発明の効果】
【００３０】
本発明によれば、トレンド画面上で多様な処理を実行することが可能となる。
【図面の簡単な説明】
【００３１】
【図１】本発明の実施の形態１に係る監視システムの構成を模式的に示す図である。
【図２】本発明の実施の形態１に係る表示装置であるオペレータステーションの構成を示すブロック図である。
【図３】本発明の実施の形態１に係る表示装置であるオペレータステーションの表示部における監視システム用の表示画面の表示例を模式的に示す図である。
【図４】本発明の実施の形態１に係る表示装置であるオペレータステーションが実行する表示方法の処理の概要を示すフローチャートである。
【図５】本発明の実施の形態１に係る表示装置であるオペレータステーションの表示部におけるトレンド画面の表示例を示す図である。
【図６】本発明の実施の形態１に係る表示装置であるオペレータステーションが実行する拡大処理の概要を示すフローチャートである。
【図７】本発明の実施の形態１に係る表示装置の表示部における全関心領域表示画面の表示例（カウンタが１の場合）を示す図である。
【図８】本発明の実施の形態１に係る表示装置の表示部における全関心領域表示画面の表示例（カウンタが２の場合）を示す図である。
【図９】本発明の実施の形態１に係る表示装置の表示部における全関心領域表示画面の表示例（カウンタが３の場合）を示す図である。
【図１０】本発明の実施の形態１に係る表示装置の拡大トレンド画面生成部が生成する拡大トレンド画面の第１例を示す図である。
【図１１】本発明の実施の形態１に係る表示装置の拡大トレンド画面生成部が生成する拡大トレンド画面の第２例を示す図である。
【図１２】本発明の実施の形態１に係る表示装置の拡大トレンド画面生成部が生成する拡大トレンド画面の第３例を示す図である。
【図１３】本発明の実施の形態１に係る表示装置の拡大トレンド画面生成部が生成する拡大トレンド画面の第４例を示す図である。
【図１４】本発明の実施の形態１の変形例１における拡大トレンド画面の表示例を示す図である。
【図１５】本発明の実施の形態１の変形例２における拡大トレンド画面の表示例を示す図である。
【図１６】本発明の実施の形態１の変形例３における全関心領域表示画面の表示例を示す図である。
【図１７】本発明の実施の形態１の変形例３における拡大トレンド画面の表示例（第１例）を示す図である。
【図１８】本発明の実施の形態１の変形例３における拡大トレンド画面の表示例（第２例）を示す図である。
【図１９】本発明の実施の形態２に係る表示装置が実行する表示方法の処理の概要を示すフローチャートである。
【図２０】本発明の実施の形態２に係る表示装置であるオペレータステーションが実行する関心領域変更処理の概要を示すフローチャートである。
【図２１】本発明の実施の形態２に係る表示装置であるオペレータステーションが実行する関心領域の移動処理を模式的に示す図である。
【図２２】本発明の実施の形態２に係る表示装置であるオペレータステーションが実行する関心領域の拡大・変形処理を模式的に示す図である。
【図２３】本発明の実施の形態３に係る表示装置であるオペレータステーションの構成を示すブロック図である。
【図２４】本発明の実施の形態３に係る表示装置であるオペレータステーションが実行する表示方法の処理の概要を示すフローチャートである。
【図２５】本発明の実施の形態３に係る表示装置であるオペレータステーションが実行する拡大処理の概要を示すフローチャートである。
【図２６】本発明の実施の形態３に係る表示装置であるオペレータステーションが関心領域をブックマーク登録する処理の詳細を示すフローチャートである。
【図２７】本発明の実施の形態３に係る表示装置であるオペレータステーションの表示部における登録確認画面の表示例を示す図である。
【図２８】本発明の実施の形態３に係る表示装置であるオペレータステーションが実行する関心領域選択処理の概要を示すフローチャートである。
【図２９】ブックマーク登録済みの関心領域を選択する際に表示部が表示する選択用画面の表示例を示す図である。
【図３０】選択関心領域表示画面の表示例を示す図である。
【図３１】図３０に示す選択関心領域表示画面において、戻るボタンが選択された場合に表示される関心領域画面の表示例を示す図である。
【図３２】１つのブックマーク登録済み関心領域が選択された場合の選択用画面の表示例を示す図である。
【図３３】２つのブックマーク登録済み関心領域が選択された場合の選択関心領域表示画面の表示例を示す図である。
【図３４】本発明の実施の形態３に係る表示装置であるオペレータステーションの表示部における関心領域表示画面の別の表示例を示す図である。
【図３５】本発明の実施の形態４に係る表示装置が実行する表示方法の処理の概要を示すフローチャートである。
【図３６】本発明の実施の形態４に係る表示装置の表示部におけるトレンド画面の表示例を示す図である。
【図３７】本発明の実施の形態４に係る表示装置であるオペレータステーションが実行する拡大処理の概要を示すフローチャートである。
【図３８】本発明の実施の形態４に係る表示装置の表示部における背景色特性変更画面の表示例を示す図である。
【図３９】本発明の実施の形態４に係る表示装置の表示部における関心領域表示画面の表示例（第１例）を示す図である。
【図４０】本発明の実施の形態４に係る表示装置の表示部における関心領域表示画面の表示例（第２例）を示す図である。
【図４１】本発明の実施の形態４に係る表示装置の表示部における拡大トレンド画面の表示例（第１例）を示す図である。
【図４２】本発明の実施の形態４に係る表示装置の表示部における拡大トレンド画面の表示例（第２例）を示す図である。
【図４３】本発明の実施の形態４の変形例１に係る表示装置の表示部における拡大トレンド画面の表示例を示す図である。
【図４４】本発明の実施の形態４の変形例２に係る表示装置の表示部における拡大トレンド画面が有するトレンド表示領域の表示例を示す図である。
【図４５】本発明の実施の形態５に係る表示装置であるオペレータステーションの構成を示すブロック図である。
【図４６】本発明の実施の形態５に係る表示装置であるオペレータステーションが実行する拡大処理の概要を示すフローチャートである。
【図４７】本発明の実施の形態５に係る表示装置の表示部におけるトレンド画面の表示例を示す図である。
【図４８】本発明の実施の形態５に係る表示装置の表示部における背景色特性変更画面の表示例を示す図である。
【図４９】本発明の実施の形態５に係る表示装置の表示部における関心領域表示画面の表示例を示す図である。
【図５０】本発明の実施の形態５に係る表示装置の表示部における拡大トレンド画面の表示例を示す図である。
【発明を実施するための形態】
【００３２】
以下に、添付図面を参照して、本発明を実施するための形態（以下、「実施の形態」という）を説明する。
【００３３】
（実施の形態１）
本発明の実施の形態１は、監視システムが備える表示装置において、トレンド画面上での多様な処理を実行することができ、特に異なる関心領域同士を容易にかつ正確に比較することができることを目的とする。図１は、本発明の実施の形態１に係る監視システムの構成を模式的に示す図である。同図に示す監視システム１は、鉄鋼プラント、化学プラントまたは発電プラント等のプラントＰで行われるプロセスの制御や監視を行う分散型制御システム（ＤＣＳ：Distributed  Control  System）である。監視システム１は、複数の制御装置２（図１では２つの制御装置２のみを図示）と、オペレータステーション３と、データベースステーション４と、プリンタ５と、を備える。
【００３４】
複数の制御装置２、オペレータステーション３およびデータベースステーション４は、制御ネットワーク６を介して通信可能に接続されている。オペレータステーション３、データベースステーション４およびプリンタ５は、情報ネットワーク７を介して通信可能に接続されている。制御ネットワーク６および情報ネットワーク７の各々は、例えばＬＡＮ（Local  Area  Network）、ＷＡＮ（Wide  Area  Network）、イントラネット、公衆回線網、専用回線網などを適宜組み合わせた通信ネットワークによって構成される。
【００３５】
制御装置２は、プラントＰのプロセスを実行するためにプラントＰに設置された各種機器（図１では２つの機器Ｐ１、Ｐ２のみを図示）に接続されたセンサ等の計測装置と接続する。制御装置２は、ＣＰＵ（Central  Processing  Unit）を備え、計測装置の測定結果等に基づいた演算を行うことによって各種機器を制御する。制御装置２が行う制御方式として、例えばＰＩＤ（Proportional  Integral  Derivative）制御を挙げることができる。
【００３６】
制御装置２は、上述した計測装置の測定結果等に基づいてプロセスの制御を行うための内部計器に関わる情報を有している。このような内部計器として、例えばＰＩＤ制御計器、スイッチ（オン／オフ）計器、力率計器、風向計器等がある。
【００３７】
制御装置２は、内部計器の情報を制御対象である各種機器の状態を示す状態情報として、制御ネットワーク６を介してオペレータステーション３へ定期的に送信する。状態情報には、計測装置の測定結果に加えて、各種設定値、異常を示す情報（アラーム）、内部計器を識別するためのＴＡＧ情報等が含まれる。
【００３８】
制御装置２は、制御ネットワーク６を介してオペレータステーション３から送られてくる指示信号に基づいて、各種設定値の変更等の処理を行う。
【００３９】
図２は、オペレータステーション３の構成を示すブロック図である。同図に示すオペレータステーション３は、ユーザ（プラント管理者等のオペレータ）が、プラントＰの稼動状態を確認するための装置であり、本発明に係る表示装置として機能する。オペレータステーション３は、入力部３１と、第１通信部３２と、第２通信部３３と、表示部３４と、画像処理部３５と、制御部３６と、記憶部３７と、を備える。
【００４０】
入力部３１は、キーボード、およびマウス等のポインティングデバイスを用いて構成され、ユーザによる各種操作指示信号の入力を受け付ける。入力部３１を構成するポインティングデバイスとして、表示部３４の表示画面上に重ねて設けられるタッチパネルを適用することも可能である。
【００４１】
第１通信部３２は、制御部３６の制御の下、制御ネットワーク６を介して複数の制御装置２との間で各種データを送受信する。第１通信部３２が制御装置２から受信した情報は、記憶部３７に格納されて記憶される。
第２通信部３３は、制御部３６の制御の下、情報ネットワーク７を介してデータベースステーション４やプリンタ５との間で各種データを送受信する。
【００４２】
表示部３４は、液晶または有機ＥＬ（Electro  Luminescence）等のディスプレイを用いて構成され、制御部３６による制御の下、各種情報を表示する。図３は、表示部３４における監視システム用の表示画面の表示例を模式的に示す図である。同図に示す表示画面１００は、ユーザがプラントの状況や作業の目的に応じて選択するための各種メニューを表示するメニュー表示領域１００ａと、制御対象である機器の状態情報を表示する状態情報表示領域１００ｂとを有する。状態情報表示領域１００ｂには、プラントＰに関する各種情報を表示するグラフィック画面、プラントＰの機器Ｐ１、Ｐ２等から得られる状態情報をトレンド表示するトレンド画面、および機器Ｐ１、Ｐ２等から得られた状態情報を帳票形式で表示する帳票画面、プラントＰに異常が発生した場合に出力されるアラーム情報を表示するアラーム画面等が表示される。
【００４３】
画像処理部３５は、トレンド画面データを生成するトレンド画面生成部３５１と、トレンド画面で設定される複数の関心領域（複数の領域）を表示する関心領域表示画面データを生成する関心領域表示画面生成部３５２と、複数の関心領域を拡大表示する拡大トレンド画面データを生成する拡大トレンド画面生成部３５３と、を有する。画像処理部３５は、ＣＰＵや各種演算回路等を用いて実現される。
【００４４】
トレンド画面生成部３５１は、制御装置２から第１通信部３２を介して受信した情報および記憶部３７が記憶する情報を参照することにより、選択された内部計器に対応する機器の状態情報を表示するトレンド画面データを生成する。
関心領域表示画面生成部３５２は、トレンド画面の中で関心領域として設定された領域をそれ以外の非関心領域と識別可能に表示する関心領域表示画面データを生成する。本実施の形態１では、１つの画面上で２つの関心領域を設定できるものとして説明するが、より一般に複数の関心領域を設定可能としてもよい。
拡大トレンド画面生成部３５３は、設定された複数の関心領域を所定のレイアウト情報にしたがって配置して拡大表示する拡大トレンド画面データを生成する。
【００４５】
制御部３６は、入力部３１が受け付けた関心領域の設定信号に基づいて、トレンド画面における関心領域を設定する関心領域設定部３６１と、表示部３４の表示処理を制御する表示制御部３６２と、制御装置２が行うプロセス制御の制御パラメータを入力部３１の入力に応じて変更する制御パラメータ変更部３６３とを有する。
【００４６】
制御部３６は、ＣＰＵや各種演算回路等を用いて構成され、入力部３１が入力を受け付けた各種操作指示信号に応じてオペレータステーション３を構成する各部に対応する指示やデータの転送等を行うことにより、オペレータステーション３の動作を統括して制御する。なお、画像処理部３５と制御部３６を、共通のＣＰＵを用いて構成することも可能である。
【００４７】
記憶部３７は、状態情報記憶部３７１と、関心領域情報記憶部３７２と、レイアウト情報記憶部３７３と、プログラム記憶部３７４と、を有する。
【００４８】
状態情報記憶部３７１は、第１通信部３２が制御装置２から定期的に受信する複数の状態情報を記憶する。状態情報記憶部３７１は、制御部３６の制御の下、複数の状態情報を受信するごとに記憶する情報を更新するとともに、それ以前の情報を、第２通信部３３を介してデータベースステーション４へ送信するようにしてもよい。
【００４９】
関心領域情報記憶部３７２は、拡大トレンド画面生成部３５３が拡大トレンド画面データを生成する際に必要な情報を記憶する。このような情報として、関心領域設定部３６１が設定した関心領域の位置および大きさ（縦と横の長さ）に関する情報等がある。なお、本実施の形態１において、関心領域設定部３６１が設定した関心領域の情報は、その情報に基づく拡大トレンド画面データが拡大トレンド画面生成部３５３によって生成された時点で自動的に削除してもよい。すなわち、関心領域情報記憶部３７２は、関心領域の情報を、拡大トレンド画面生成部３５３が拡大トレンド画面を生成するまでの間、一時的に記憶するようにしてもよい。
【００５０】
レイアウト情報記憶部３７３は、拡大トレンド画面生成部３５３が拡大トレンド画面データを生成する際のレイアウト情報を記憶する。レイアウト情報記憶部３７３が記憶するレイアウト情報は、例えば複数の関心領域の配置に関する情報、縦横のスケールおよび表示する値の範囲に関する情報、表示するグラフの色に関する情報等である。複数の関心領域の配置には、例えば縦に並べる配置、横に並べる配置、および複数の関心領域を重畳する配置がある。
【００５１】
プログラム記憶部３７４は、本実施の形態１に係る表示プログラムを含み、オペレータステーション３を動作させるための各種プログラム、および各種プログラムの実行中に使用される各種データ等を記憶する。なお、プログラム記憶部３７４が記憶するプログラムは、コンピュータ読み取り可能な記録媒体に記録することも可能である。また、プログラムの記録部または記録媒体への記録は、コンピュータまたは記録媒体を製品として出荷する際に行ってもよいし、通信ネットワークを介したダウンロードにより行ってもよい。
【００５２】
記憶部３７は、本実施の形態１に係る表示プログラムや所定のＯＳを起動するプログラム等が予めインストールされたＲＯＭ（Read  Only  Memory）、および各処理の演算パラメータやデータ等を記憶するＲＡＭ（Random  Access  Memory）等を用いて実現される。上述した各種プログラムは、通信ネットワークを介してダウンロードすることによって取得することも可能である。ここでいう通信ネットワークは、例えば既存の公衆回線網、ＬＡＮ、ＷＡＮなどによって実現されるものであり、有線、無線を問わない。
【００５３】
以上の構成を有するオペレータステーション３は、１つのコンピュータを用いて実現してもよいし、複数のコンピュータを用いて実現してもよい。後者の場合には、通信ネットワークを介してデータの送受信を行いながら、互いに連携して処理を行うようにすることも可能である。なお、ここでいうコンピュータは、汎用のパーソナルコンピュータやサーバ等によって構成することができる。また、通信ネットワークを介した複数のコンピュータからなるクライアント・サーバシステムによってオペレータステーション３を構築する場合には、入力部３１および表示部３４の機能をクライアント端末に具備させる一方、画像処理部３５、制御部３６および記憶部３７の機能を一または複数のサーバに分散するような構成としてもよい。
【００５４】
データベースステーション４は、制御ネットワーク６を介して制御装置２から送信されてくるデータを蓄積する装置であり、プラントＰに関するアラームの履歴情報や数値のトレンド情報を長期間にわたって保存するための装置である。データベースステーション４は、情報ネットワーク７を介してオペレータステーション３との間でデータの送受信も行う。
【００５５】
プリンタ５は、情報ネットワーク７を介して送信されてくるオペレータステーション３の指示信号に基づいて、オペレータステーション３およびデータベースステーション４が記憶する各種データを取得して印刷する。
【００５６】
図４は、本実施の形態１に係る表示装置であるオペレータステーション３が実行する表示方法の処理の概要を示すフローチャートである。図４では、オペレータステーション３において、所定期間における所定の複数の内部計器に対するトレンド画面の表示が選択された場合の処理（以下、トレンド画面表示処理という）の概要を示している。
【００５７】
まず、トレンド画面生成部３５１は、表示対象として設定された内部計器に対応する機器の状態情報に含まれる測定値（ＰＶ：Process  Variable）等の時間的な変化を表示するトレンド画面データを生成する（ステップＳ１）。トレンド画面生成部３５１は、トレンド画面データの生成に必要な情報を第１通信部３２を介して制御装置２へ要求する。その後、トレンド画面生成部３５１は、制御装置２から取得した情報および状態情報記憶部３７１が記憶している情報をもとにトレンド画面データを生成する。なお、トレンド画面データに必要な情報の一部をデータベースステーション４から取得するようにしてもよい。
【００５８】
続いて、表示制御部３６２は、トレンド画面生成部３５１が生成したトレンド画面データに対応するトレンド画面を表示部３４に表示させる（ステップＳ２）。
【００５９】
図５は、表示部３４におけるトレンド画面の表示例を示す図である。同図に示すトレンド画面１０１は、ある内部計器の時間的なトレンドを示す曲線であるトレンドグラフ２０１を表示している。トレンドグラフ２０１の横軸ｔは時間であり、縦軸ＰＶは測定値である。なお、図５では、１つの内部計器のトレンドを表示している場合を例示しているが、表示対象のトレンドグラフの数はこれに限られるわけではない。
【００６０】
ステップＳ２の後、入力部３１が拡大処理の開始指示信号の入力を受け付けた場合（ステップＳ３：Ｙｅｓ）、オペレータステーション３は、拡大処理を行う（ステップＳ４）。本実施の形態１において、開始指示信号は、ユーザが入力部３１のマウスを操作することによってトレンド画面上の所望の位置にマウスポインタを移動した後、マウスボタンをクリックすることによって入力される。以下、図６に示すフローチャートを参照して、拡大処理の概要を説明する。
【００６１】
ステップＳ１１において、オペレータステーション３は、関心領域の数を示すカウンタｎを１に初期化する（ステップＳ１１）。
【００６２】
この後、入力部３１がｎ番目の関心領域（以下、第ｎ関心領域という）の選択入力を受け付けた場合（ステップＳ１２：Ｙｅｓ）、オペレータステーション３はステップＳ１３へ移行する。
【００６３】
カウンタｎが１である場合の第１関心領域の選択入力操作は、マウスのドラッグ操作によって実現される。このドラッグ操作は、例えば通常のパーソナルコンピュータが備える表示モニタ上で表示されるウィンドウの面積を拡大する際に行う操作と同様である。マウスがドラッグされると、第１関心領域はマウスポインタの始点と終点を対角線とする矩形領域として定義される。
【００６４】
カウンタｎが２以上である場合の第ｎ関心領域を設定する際の選択入力は、例えばユーザがマウスポインタを所望の位置に配置してクリック操作を行うことによって実現される。マウスポインタの位置を中心として第１関心領域と同じ形状および面積を有する領域が第ｎ関心領域として設定される。
【００６５】
ステップＳ１３において、関心領域設定部３６１は、入力部３１が受け付けた第ｎ関心領域の選択入力に基づいて、トレンド画面における第ｎ関心領域の設定を行い（ステップＳ１３）、設定した情報を関心領域情報記憶部３７２へ一時的に格納する。
【００６６】
続いて、関心領域表示画面生成部３５２は、関心領域情報記憶部３７２を参照し、設定された全ての関心領域を表示する全関心領域表示画面データを生成する（ステップＳ１４）。
【００６７】
この後、表示制御部３６２は、全関心領域表示画面を表示部３４に表示させる（ステップＳ１５）。図７は、カウンタｎが１の場合の全関心領域表示画面の表示例を示す図である。図７に示す全関心領域表示画面１０２は、トレンドグラフ２０１の一部を通過するように設定された矩形状の第１関心領域２５１を表示している。図８は、カウンタｎが２の場合の全関心領域表示画面の表示例を示す図である。図８に示す全関心領域表示画面１０３は、第１関心領域２５１に加えて、第１関心領域２５１と交わりを有しない程度に離れた位置でトレンドグラフ２０１が通過し、第１関心領域２５１と同じ大きさおよび形状を有する第２関心領域２５２を表示している。図９は、カウンタｎが３の場合の全関心領域表示画面の表示例を示す図である。図９に示す全関心領域表示画面１０４は、第１関心領域２５１および第２関心領域２５２に加えて、第１関心領域２５１および第２関心領域２５２と交わりを有しない程度に離れた位置でトレンドグラフ２０１が通過し、第１関心領域２５１と同じ大きさおよび形状を有する第３関心領域２５３を表示している。
【００６８】
ステップＳ１５で全関心領域表示画面が表示部３４で表示された後、オペレータステーション３は、カウンタｎを１増やす処理を行う（ステップＳ１６）。
【００６９】
この後のステップＳ１７の処理は、入力部３１が関心領域の選択確定信号の入力を受け付けたか否かに応じて異なる。選択確定信号の入力は、例えばマウスのクリック操作によって実現される。ステップＳ１７において、入力部３１が関心領域の選択確定信号の入力を受け付けた場合（ステップＳ１７：Ｙｅｓ）、拡大トレンド画面生成部３５３は、全ての関心領域を所定のレイアウト情報にしたがって配置して拡大表示する拡大トレンド画面データを生成する（ステップＳ１８）。
【００７０】
拡大トレンド画面生成部３５３は、レイアウト情報記憶部３７３が記憶するレイアウト情報を参照して、全関心領域を縦または横に並べて拡大する。どちらの方向に並べて拡大表示するかは、予めレイアウト情報記憶部３７３が記憶しておく。なお、ユーザがマウスの右クリック操作等によって画面上にレイアウトに関するメニューを表示した後、全関心領域のレイアウトをマウスのクリック操作によって選択できるようにしてもよい。
【００７１】
図１０は、拡大トレンド画面生成部３５３が生成する拡大トレンド画面の第１例を示す図である。同図に示す拡大トレンド画面１０５は、全関心領域表示画面１０３における第１関心領域２５１および第２関心領域２５２を縦に並べて配置してそれぞれ拡大表示した画面であり、上側の拡大トレンドグラフ２１１は第１関心領域２５１におけるトレンドグラフ２０１を拡大したものであり、下側の拡大トレンドグラフ２２１は第２関心領域２５２におけるトレンドグラフ２０１を拡大したものである。この場合の第１関心領域２５１および第２関心領域２５２の拡大率は、横方向の拡大率が縦方向の拡大率よりも大きい。なお、第１関心領域２５１および第２関心領域２５２の縦横の比率を、全関心領域表示画面上と同じにしたままで拡大表示するようにしてもよい。また、表示される拡大トレンドグラフに対応したパラメータ値等の付加情報を図３に示すメニュー表示領域１００ａに表示するようにしてもよい。
【００７２】
図１１は、拡大トレンド画面生成部３５３が生成する拡大トレンド画面の第２例を示す図である。同図に示す拡大トレンド画面１０６は、全関心領域表示画面１０３における第１関心領域２５１および第２関心領域２５２を横に並べて配置してそれぞれ拡大表示した画面である。左方の拡大トレンドグラフ２１２は第１関心領域２５１におけるトレンドグラフ２０１を拡大したものであり、右方の拡大トレンドグラフ２２２は第２関心領域２５２におけるトレンドグラフ２０１を拡大したものである。この場合の第１関心領域２５１および第２関心領域２５２の拡大率は、縦方向の拡大率が横方向の拡大率よりも大きい。なお、横に並べて拡大表示する場合にも、第１関心領域２５１および第２関心領域２５２の縦横の比率を全関心領域表示画面上と同じにしたままで拡大表示してもよい。
【００７３】
図１２は、拡大トレンド画面生成部３５３が生成する拡大トレンド画面の第３例を示す図である。同図に示す拡大トレンド画面１０７は、全関心領域表示画面１０４における第１関心領域２５１、第２関心領域２５２および第３関心領域２５３を横に並べて配置してそれぞれ拡大表示した画面である。左方の拡大トレンドグラフ２１３は第１関心領域２５１におけるトレンドグラフ２０１を拡大したものであり、中央の拡大トレンドグラフ２２３は第２関心領域２５２におけるトレンドグラフ２０１を拡大したものであり、右方の拡大トレンドグラフ２３１は第３関心領域２５３のトレンドグラフ２０１を拡大したものである。なお、第１関心領域２５１、第２関心領域２５２および第３関心領域２５３の縦横の比率を全関心領域表示画面上と同じにしたままで拡大表示してもよい。
【００７４】
図１３は、拡大トレンド画面生成部３５３が生成する拡大トレンド画面の第４例を示す図である。同図に示す拡大トレンド画面１０８は、全関心領域表示画面１０３における第１関心領域２５１および第２関心領域２５２を重畳してそれぞれ拡大表示した画面である。具体的には、実線で示す拡大トレンドグラフ２１４は第１関心領域２５１におけるトレンドグラフ２０１を拡大したものであり、破線で示す拡大トレンドグラフ２２４は第２関心領域２５２におけるトレンドグラフ２０１を拡大したものである。なお、２つのトレンドグラフの線種を変える代わりに、２つのトレンドグラフの線の色または太さ等の特徴をを変えてもよい。また、重畳して拡大表示する場合にも、第１関心領域２５１および第２関心領域２５２の縦横の比率を全関心領域表示画面上と同じにしたままで拡大表示してもよい。
【００７５】
ステップＳ１７において入力部３１が関心領域の選択確定信号の入力を受け付けない場合（ステップＳ１７：Ｎｏ）、オペレータステーション３はステップＳ１２へ戻る。
【００７６】
ステップＳ１２において入力部３１が第１関心領域の選択入力を受け付けない場合（ステップＳ１２：Ｎｏ）において、入力部３１が拡大処理を終了する信号の入力を受け付けたとき（ステップＳ１９：Ｙｅｓ）、オペレータステーション３は拡大処理を終了してメインルーチンへ戻る。一方、ステップＳ１９において、入力部３１が拡大処理を終了する信号の入力を受け付けない場合（ステップＳ１９：Ｎｏ）、オペレータステーション３はステップＳ１２へ戻る。
【００７７】
再び図４を参照して、上述したステップＳ４の拡大処理に続く処理を説明する。ステップＳ４での拡大処理の後、拡大トレンド画面データが生成されて存在している場合（ステップＳ５：Ｙｅｓ）、表示制御部３６２は、拡大トレンド画面を表示部３４に表示させる（ステップＳ６）。このステップＳ６では、例えば図１０〜図１３に示すような拡大トレンド画面が表示される。
【００７８】
この後、入力部３１がトレンド表示終了の指示信号の入力を受け付けたとき（ステップＳ７：Ｙｅｓ）、オペレータステーション３はトレンド画面表示処理を終了する。一方、ステップＳ７において、入力部３１がトレンド表示終了の指示信号の入力を受け付けない場合（ステップＳ７：Ｎｏ）、オペレータステーション３はステップＳ７を繰り返す。
【００７９】
ステップＳ３において、入力部３１が拡大処理の開始指示信号の入力を受け付けない場合（ステップＳ３：Ｎｏ）、およびステップＳ５において、拡大トレンド画面データが生成されていない場合（ステップＳ５：Ｎｏ）、制御部３６は、状態情報記憶部３７１が記憶する状態情報が更新されているか否かを判断する（ステップＳ８）。判断の結果、状態情報が更新されている場合（ステップＳ８：Ｙｅｓ）、オペレータステーション３はステップＳ１へ戻る。一方、判断の結果、状態情報が更新されていない場合（ステップＳ８：Ｎｏ）、オペレータステーション３はステップＳ９へ移行する。
【００８０】
ステップＳ９において、入力部３１がトレンド表示終了の指示信号の入力を受け付けた場合（ステップＳ９：Ｙｅｓ）、オペレータステーション３はトレンド画面表示処理を終了する。一方、入力部３１がトレンド表示終了の指示信号の入力を受け付けない場合（ステップＳ９：Ｎｏ）、オペレータステーション３はステップＳ８へ戻る。
【００８１】
本実施の形態１では、２つの関心領域を拡大表示する場合を説明したが、２つ以上の関心領域を拡大表示する場合も同様に行うことが可能である。
【００８２】
以上説明した本発明の実施の形態１によれば、トレンド画面内で設定される互いに異なる複数の関心領域を示す情報をトレンドグラフとともに表示し、複数の関心領域の選択が確定した場合に複数の関心領域を拡大して表示するため、トレンド画面上で多様な処理を実行することができる。特に、本実施の形態１によれば、トレンド画面上で異なる関心領域同士を容易にかつ正確に比較することが可能となる。
【００８３】
また、本実施の形態１によれば、複数の関心領域を拡大して１つの方向に沿って並べて表示するため、比較を行いやすい。
【００８４】
また、本実施の形態１によれば、複数の関心領域を重畳して表示するため、並べて表示する場合と同じく比較を行いやすい。
【００８５】
また、本実施の形態１によれば、ユーザはマウスの操作を２回行うだけで、２つの関心領域の設定および拡大トレンド画面の生成を実行することができる。したがって、拡大や縮小の操作を複数回繰り返し行う必要はなく、簡単な操作のみで所望の拡大トレンド画面を見ることができる。
【００８６】
（実施の形態１の変形例１）
図１４は、本実施の形態１の変形例１における拡大トレンド画面の表示例を示す図である。同図に示す拡大トレンド画面１０９は、測定値と所定の閾値との大小関係に応じてトレンド曲線の線種を変えて表示している。具体的には、下側に表示されている拡大トレンドグラフ２２１ａにおいて、閾値ＴＨ以下となっている部分を破線で表示している。ここでいう閾値とは、例えば測定値における正常範囲と異常範囲との境界でもよい。なお、閾値との大小に応じて線種を変化させる代わりに線の色を変化させて表示してもよいし、線種と線の色の両方を変化させて表示してもよい。
【００８７】
本実施の形態１の変形例１によれば、ユーザは閾値との大小を視覚的に認識することができ、より正確な判定を行うことが可能となる。
【００８８】
（実施の形態１の変形例２）
図１５は、本実施の形態１の変形例２における拡大トレンド画面の表示例を示す図である。同図に示す拡大トレンド画面１１０は、図１１に示す場合と同様に２つの関心領域におけるトレンドグラフを重畳して表示している。拡大トレンド画面１１０では、２つの拡大トレンドグラフ２１４、２２４の値の差が大きい領域を強調するために、値の差が所定値以下の領域をマスクまたは背景色の特性を変えて表示している。図１５では、マスクしている領域を斜線で表示している。
【００８９】
本実施の形態１の変形例２によれば、ユーザは比較対象の２つのトレンド曲線で差が大きい領域を容易に認識できるため、正確な判定を容易にかつ迅速に行うことが可能となる。
【００９０】
（実施の形態１の変形例３）
図１６は、本実施の形態１の変形例３における全関心領域表示画面の表示例を示す図である。同図に示す全関心領域表示画面１１１は、トレンドグラフ２０１を通過する２つの関心領域の大きさおよび形状が異なる、具体的には、第１関心領域２５１の面積は第２関心領域２５４よりも面積が小さく、縦横比も異なる。このように、本変形例３では、複数の関心領域の大きさおよび形状を個別に設定することができる。本変形例３において関心領域を設定する際には、ユーザがいったん確定した関心領域の境界付近にマウスポインタを合わせてマウスをドラッグ操作することにより、関心領域の大きさおよび形状を変化させる。
【００９１】
図１７は、本変形例３における拡大トレンド画面の表示例（第１例）を示す図である。同図に示す拡大トレンド画面１１２は、第１関心領域と第２関心領域を縦に並べて表示する際、２つのトレンドグラフの縦横のスケールが共通となるように表示している。したがって、第１関心領域２５１におけるトレンドグラフ２０１を拡大した拡大トレンドグラフ２１５は、第２関心領域２５４におけるトレンドグラフ２０１を拡大した拡大トレンドグラフ２２５よりもデータ量が少ない。なお、横軸すなわち時間軸のスケールは、入力部３１からの操作入力によって適宜変更可能としてもよい。また、縦方向の２つの軸ＰＶ１、ＰＶ２の長さが等しくなるよう表示してもよい。
【００９２】
図１８は、本変形例３における拡大トレンド画面の表示例（第２例）を示す図である。同図に示す拡大トレンド画面１１３は、第１関心領域と第２関心領域を横に並べて表示する際、２つのトレンドグラフの横軸すなわち時間軸のスケールが共通となるように表示している。したがって、第１関心領域２５１におけるトレンドグラフ２０１を拡大した拡大トレンドグラフ２１６は、第２関心領域２５４におけるトレンドグラフ２０１を拡大した拡大トレンドグラフ２２６よりもデータ量が少なく、横軸が短く表示される。図１８に示すように、２つの縦軸のスケールが共通である場合には、２つの拡大トレンドグラフ２１６、２２６の変化率を比較するのに好適である。これに対して、２つの拡大したトレンドグラフの絶対値を比較したい場合には、横に並べた２つのトレンドグラフの縦軸すなわち測定値を示す軸が同一となるようにすればよい。なお、縦軸のスケールは、入力部３１からの操作入力によって適宜変更可能としてもよい。また、横に並べる場合には、第１関心領域と第２関心領域の縦横比に応じて画面内でのトレンドグラフ表示領域の面積が異なるようにしてもよい。
【００９３】
以上説明した本実施の形態１の変形例３によれば、関心領域の設定をより柔軟に行うことができる。
【００９４】
（実施の形態２）
本発明の実施の形態２は、監視システムが備える表示装置において、トレンド画面上での多様な処理を実行することができ、特に異なる関心領域同士を容易にかつ正確に比較することができるとともに、関心領域の設定を柔軟に行うことを目的とする。本実施の形態２は、関心領域の設定を行う際に、関心領域の位置、大きさ、形状を変更可能であることを特徴とする。本実施の形態２に係る表示装置は、実施の形態１で説明したオペレータステーション３と同様の構成を有しており、監視システム１の一部をなす。以下、監視システム１が有する構成要素と同じ構成要素については、図１および図２と同一の符号を付して説明する。
【００９５】
本実施の形態２に係る表示装置であるオペレータステーション３が実行するトレンド画面表示処理の概要は、図４に示すフローチャートと同様であるが、拡大処理（ステップＳ４）の内容が異なる。以下、図１９に示すフローチャートを参照して、オペレータステーション３が実行する拡大処理の概要を説明する。図１９に示すステップＳ３１〜Ｓ３７の処理は、図６に示すステップＳ１１〜Ｓ１７の処理に順次対応している。なお、ステップＳ３２において入力部３１が関心領域の選択入力を受け付けない場合（ステップＳ３２：Ｎｏ）、オペレータステーション３は、後述するステップＳ４１へ移行する。
【００９６】
ステップＳ３７に続くステップＳ３８において、入力部３１が関心領域の変更開始指示信号の入力を受け付けた場合（ステップＳ３８：Ｙｅｓ）、オペレータステーション３は、関心領域変更処理を行う（ステップＳ３９）。
【００９７】
図２０は、オペレータステーション３が実行する関心領域変更処理の概要を示すフローチャートである。まず、入力部３１が関心領域の変更指示信号の入力を受け付けた場合（ステップＳ５１：Ｙｅｓ）、関心領域設定部３６１は関心領域を変更し、変更後の情報を関心領域情報記憶部３７２へ格納する（ステップＳ５２）。
【００９８】
続いて、関心領域表示画面生成部３５２は、関心領域情報記憶部３７２を参照して全関心領域表示画面データを更新する（ステップＳ５３）。表示制御部３６２は、更新された全関心領域表示画面データに対応する全関心領域表示画面を表示部３４に表示させる（ステップＳ５４）。
【００９９】
図２１は、関心領域変更処理の一例として、関心領域の移動処理を模式的に示す図である。同図に示すトレンド表示領域３０１は、第１関心領域３０２および第２関心領域３０３を有する。破線で示す領域３０２ａは、変更前の第１関心領域３０２の位置および大きさを仮想的に示している。なお、図２１ではトレンドグラフ等の記載を省略している。図２１では、ユーザが第１関心領域３０２の初期位置（領域３０２ａ）における外縁付近にマウスポインタＭを合わせてから右下方向へマウスをドラッグアンドドロップすることにより、第１関心領域３０２を移動させた後の表示状態を示している。この移動操作は、パーソナルコンピュータのモニタ上でのウィンドウの移動操作と同様である。トレンド表示領域３０１の下方には、「続行？」という文字が表示されるとともに、「Ｙｅｓ」および「Ｎｏ」のボタンが表示される。ユーザは、他の関心領域の変更を希望する場合にはマウスポインタＭを「Ｙｅｓ」ボタンに位置合わせしてマウスをクリックする。一方、ユーザは、関心領域の選択を終了する場合には、マウスポインタＭを「Ｎｏ」ボタンに位置合わせしてマウスをクリックする。
【０１００】
図２２は、関心領域の変更処理の別な例として、関心領域の拡大・変形処理を模式的に示す図である。同図に示すトレンド表示領域３１１は、図２２に示すトレンド表示領域３０１に対し、ユーザが第２関心領域３０３の境界の右下頂点部にマウスポインタを合わせてからドラッグアンドドロップすることにより、第２関心領域３０３の形状を変えながら拡大することによって第２関心領域３０３ａに変更した後の表示状態を示している。図２２では、この拡大・変形操作は、パーソナルコンピュータのモニタ上でウィンドウを拡大・変形する操作と同様である。なお、図２２では拡大・変形した場合を例示したが、同様の操作によって関心領域を縮小・変形することも可能であるし、関心領域の形状は変えずに拡大または縮小することも可能である。トレンド表示領域３１１にも、「続行？」の文字と、「Ｙｅｓ」、「Ｎｏ」のボタンが表示されている。
【０１０１】
この後、入力部３１が変更続行の指示信号の入力を受け付けた場合（ステップＳ５５：Ｙｅｓ）、オペレータステーション３はステップＳ５１に戻る。一方、入力部３１が選択続行の指示信号の入力を受け付けず、終了指示信号の入力を受け付けた場合（ステップＳ５５：Ｎｏ）、オペレータステーション３は関心領域変更処理を終了する。
【０１０２】
ステップＳ５１において、入力部３１が関心領域の変更指示信号の入力を受け付けない場合（ステップＳ５１：Ｎｏ）、オペレータステーション３はステップＳ５６へ移行する。
【０１０３】
ステップＳ５６において、入力部３１が関心領域変更処理を終了する信号の入力を受け付けた場合（ステップＳ５６：Ｙｅｓ）、オペレータステーション３は関心領域変更処理を終了してメインルーチンへ戻る。一方、ステップＳ５６において、入力部３１が関心領域変更処理を終了する信号の入力を受け付けない場合（ステップＳ５６：Ｎｏ）、オペレータステーション３はステップＳ５１へ戻る。
【０１０４】
以上説明した関心領域変更処理（ステップＳ３９）の後、拡大トレンド画面生成部３５３は、関心領域をトレンド表示領域の全域へ拡大した拡大トレンド画面データを生成する（ステップＳ４０）。この場合の拡大トレンド画面は、関心領域ごとの大きさに応じて各関心領域の表示領域を変えて表示してもよいし、各関心領域の表示領域を等分して表示してもよい。
【０１０５】
ステップＳ３８において、入力部３１が、関心領域の変更開始指示信号の入力を受け付けない場合（ステップＳ３８：Ｎｏ）、オペレータステーション３はステップＳ４０へ移行する。
【０１０６】
ステップＳ４１において、入力部３１が拡大処理を終了する信号の入力を受け付けた場合（ステップＳ４１：Ｙｅｓ）、オペレータステーション３は拡大処理を終了してメインルーチンへ戻る。一方、ステップＳ４１において、入力部３１が拡大処理を終了する信号の入力を受け付けない場合（ステップＳ４１：Ｎｏ）、オペレータステーション３はステップＳ３２へ戻る。
【０１０７】
以上説明した本発明の実施の形態２によれば、実施の形態１と同様の効果に加えて、ユーザはマウスのドラッグアンドドロップ操作を行うだけで関心領域を選択することができることに加え、関心領域の位置、形状または大きさを変更することができるため、関心領域の設定を一段と柔軟に行うことができる。
【０１０８】
（実施の形態３）
本発明の実施の形態３は、監視システムが備える表示装置において、トレンド画面上での多様な処理を実行することができ、特に異なる関心領域同士を容易にかつ正確に比較することができるとともに、過去に選択した関心領域を有効に活用して、きめの細かい監視を行うことを目的とする。図２３は、本発明の実施の形態３に係る表示装置であるオペレータステーションの構成を示すブロック図である。同図に示すオペレータステーション８は、制御部８１および記憶部８２の構成を除いて、実施の形態１で説明したオペレータステーション３と同様の構成を有する（図２を参照）。また、オペレータステーション８は、本実施の形態３に係る監視システムの一部をなす。本実施の形態３に係る監視システムは、オペレータステーションを除いて、実施の形態１に係る監視システム１と同様の構成を有する。以下、監視システム１が有する構成要素と同じ構成要素については、図１および図２と同一の符号を付して説明する。
【０１０９】
制御部８１は、関心領域設定部３６１と、表示制御部３６２と、制御パラメータ変更部３６３と、ブックマーク登録部８１１と、関心領域選択部８１２とを有する。ブックマーク登録部８１１は、関心領域に対してブックマークに登録されたことを示す情報を付加する機能を有する。関心領域選択部８１２は、ブックマークに登録された関心領域の中から、入力部３１が受け付けた選択信号に基づいて関心領域を選択する。
【０１１０】
記憶部８２は、状態情報記憶部３７１と、関心領域情報記憶部３７２と、レイアウト情報記憶部３７３と、プログラム記憶部３７４と、ブックマーク情報記憶部８２１とを有する。ブックマーク情報記憶部８２１は、関心領域設定部３６１が設定した関心領域のうち、入力部３１が受け付けた登録指示信号に基づいてブックマークに登録された関心領域の情報を記憶する。
【０１１１】
以上の構成を有するオペレータステーション８において、入力部３１が関心領域のブックマークの登録指示信号の入力を受け付けると、ブックマーク登録部８１１が該当する関心領域の情報に対してブックマーク登録情報を付加し、ブックマーク情報記憶部８２１へ格納する。ブックマーク登録情報が付加された関心領域情報は、拡大トレンド画面生成部３５３が拡大トレンド画面データを生成した後も、ブックマーク情報記憶部８２１によって記憶される。
【０１１２】
図２４は、本実施の形態３に係る表示装置であるオペレータステーション８が実行する表示方法の概要を示すフローチャートである。まず、トレンド画面データの生成処理（ステップＳ６１）およびトレンド画面の表示処理（ステップＳ６２）は、図４のステップＳ１およびＳ２にそれぞれ対応している。
【０１１３】
この後、入力部３１がブックマーク登録済の関心領域選択処理の開始指示信号の入力を受け付けたか否か（ステップＳ６３）に応じて、オペレータステーション８は異なる処理へ移行する。
【０１１４】
まず、ステップＳ６３において、入力部３１がブックマーク登録済の関心領域選択処理の開始指示信号の入力を受け付けない場合（ステップＳ６３：Ｎｏ）を説明する。この場合において、入力部３１が拡大処理の開始指示信号の入力を受け付けた場合（ステップＳ６４：Ｙｅｓ）、オペレータステーション８は、拡大処理を行う（ステップＳ６５）。本実施の形態３においても、開始指示信号は、ユーザが入力部３１のマウスを操作することによってトレンド画面上の所望の位置にマウスポインタを移動した後、マウスボタンをクリックすることによって入力される。なお、ステップＳ６４で入力部３１が拡大処理の開始指示信号の入力を受け付けない場合（ステップＳ６４：Ｎｏ）、オペレータステーション８は、後述するステップＳ６７へ移行する。
【０１１５】
以下、図２５に示すフローチャートを参照して、オペレータステーション８が行う拡大処理（ステップＳ６５）の概要を説明する。まず、ステップＳ８１〜Ｓ８７の処理は、図６に示すステップＳ１１〜Ｓ１７の処理に順次対応している。なお、ステップＳ８２において入力部３１が関心領域の選択入力を受け付けない場合（ステップＳ８２：Ｎｏ）、オペレータステーション８は、後述するステップＳ９１へ移行する。
【０１１６】
ステップＳ８７に続くステップＳ８８において、入力部３１が、選択が確定した関心領域のブックマーク登録指示信号の入力を受け付けた場合（ステップＳ８８：Ｙｅｓ）、オペレータステーション３は、該当する関心領域をブックマーク登録する（ステップＳ８９）。図２６は、関心領域をブックマーク登録する処理の詳細を示すフローチャートである。以下の説明では、選択が確定した関心領域の数がＮ（≧１）であったとする。まず、オペレータステーション８は、関心領域の数を示すカウンタｎを１に初期化する（ステップＳ１０１）。
【０１１７】
この後、表示制御部３６２は、全関心領域表示画面に第ｎ関心領域の登録を確認する表示を重畳して表示部３４に表示させる（ステップＳ１０２）。図２７は、表示部３４が表示する登録確認画面の表示例を示す図である。具体的には、図２７は、図８に示す全関心領域表示画面１０３において、第１関心領域２５１に対する登録確認画面の表示例を示す図である。図２７に示す登録確認画面１２１において、第１関心領域２５１の境界線は第２関心領域２５２の境界線よりも太線で記載されている。また、登録確認画面１２１では、登録確認表示部４０１が表示されている。登録確認表示部４０１には、「登録しますか？」という文章が表示されるとともに、「Ｙｅｓ」および「Ｎｏ」のボタンが表示される。これら２つのボタンのいずれかにユーザがマウスポインタＭを位置合わせしてマウスをクリックすると、「Ｙｅｓ」または「Ｎｏ」の表示に応じた信号の入力受け付けがなされる。
【０１１８】
入力部３１が第ｎ関心領域の登録指示信号の入力を受け付けた場合（ステップＳ１０３：Ｙｅｓ）、ブックマーク登録部８１１は、第ｎ関心領域の情報にブックマーク登録情報を付加し、ブックマーク情報記憶部８２１へ格納する登録処理を行う（ステップＳ１０４）。
【０１１９】
続いて、オペレータステーション８は、カウンタｎを１増やす処理を行う（ステップＳ１０５）。なお、入力部３１が第ｎ関心領域の登録指示信号の入力を受け付けない場合（ステップＳ１０３：Ｎｏ）にも、オペレータステーション８はステップＳ１０５の処理を行う。
【０１２０】
ステップＳ１０５の後、オペレータステーション８は、カウンタｎが選択された関心領域の数Ｎ以下であるか否かを判定する（ステップＳ１０６）。カウンタｎがＮ以下である場合（ステップＳ１０６：Ｙｅｓ）、オペレータステーション８は、ステップＳ１０２へ戻る。一方、カウンタｎがＮより大きい場合（ステップＳ１０６：Ｎｏ）、オペレータステーション８は、ブックマーク登録処理を終了する。
【０１２１】
再び図２５を参照して、以上説明した関心領域のブックマーク登録処理（ステップＳ８９）の後の処理を説明する。拡大トレンド画面生成部３５３は、確定した関心領域の拡大トレンド画面データを生成する（ステップＳ９０）。この後、オペレータステーション８は、拡大処理を終了してメインルーチンへ戻る。
【０１２２】
ステップＳ８８において、入力部３１が、関心領域のブックマーク登録指示信号の入力を受け付けない場合（ステップＳ８８：Ｎｏ）、オペレータステーション８はステップＳ９０へ移行する。
【０１２３】
ステップＳ９１において、入力部３１が拡大処理を終了する信号の入力を受け付けた場合（ステップＳ９１：Ｙｅｓ）、オペレータステーション８は拡大処理を終了してメインルーチンへ戻る。一方、ステップＳ９１において、入力部３１が拡大処理を終了する信号の入力を受け付けない場合（ステップＳ９１：Ｎｏ）、オペレータステーション８はステップＳ８２へ戻る。
【０１２４】
以上説明したステップＳ６５の拡大処理に続く処理を、再び図２４を参照して説明する。ステップＳ６５での拡大処理の後、拡大トレンド画面データが生成されて存在している場合（ステップＳ６６：Ｙｅｓ）、オペレータステーション８は後述するステップＳ７２へ移行する。
【０１２５】
一方、ステップＳ６６において、拡大トレンド画面データが生成されていない場合（ステップＳ６６：Ｎｏ）、制御部８１は、状態情報記憶部３７１が記憶する状態情報が更新されているか否かを判断する（ステップＳ６７）。判断の結果、状態情報が更新されている場合（ステップＳ６７：Ｙｅｓ）、オペレータステーション８はステップＳ６１へ戻る。一方、判断の結果、状態情報が更新されていない場合（ステップＳ６７：Ｎｏ）、オペレータステーション８はステップＳ６８へ移行する。
【０１２６】
ステップＳ６８において、入力部３１がトレンド画面表示終了の指示信号の入力を受け付けた場合（ステップＳ６８：Ｙｅｓ）、オペレータステーション８はトレンド画面表示処理を終了する。一方、入力部３１がトレンド画面表示終了の指示信号の入力を受け付けない場合（ステップＳ６８：Ｎｏ）、オペレータステーション８はステップＳ６７へ戻る。
【０１２７】
次に、ステップＳ６３において、入力部３１がブックマーク登録済の関心領域選択処理の開始指示信号の入力を受け付けた場合（ステップＳ６３：Ｙｅｓ）を説明する。この場合、オペレータステーション８は、関心領域選択処理を行う（ステップＳ６９）。
【０１２８】
図２８は、関心領域選択処理の概要を示すフローチャートである。まず、表示制御部３６２はブックマーク登録済みの関心領域を選択するための選択用画面を表示部３４に表示させる（ステップＳ１１１）。図２９は、表示部３４における選択用画面の表示例を示す図である。図２９に示す選択用画面５０１は、複数のブックマーク登録済み関心領域の始点に相当する日時をメニュー表示している。選択用画面５０１では、マウスポインタＭが指示しているメニューを識別可能に表示する。図２９では、ブックマーク登録済みの関心領域を示す複数のメニューのうち、メニュー「２．２０１３／５／２０  １８：３０」が選択された状態を示している。この日時は、対応する関心領域の始点の情報を示している。ここで、メニューの変更は、例えばユーザがマウスホイールまたはキーボードを操作することによって行われる。図２９に示す状態でユーザがマウスをクリックすることにより、入力部３１はメニュー「２．２０１３／５／２０  １８：３０」に対応する関心領域の選択入力を受け付ける。
【０１２９】
この後、入力部３１がブックマーク登録済みの関心領域の選択入力を受け付けた場合（ステップＳ１１２：Ｙｅｓ）、関心領域選択部８１２は、選択された関心領域の情報をブックマーク情報記憶部８２１から取得して関心領域表示画面生成部３５２へ出力する（ステップＳ１１３）。
【０１３０】
ステップＳ１１３に続いて、関心領域表示画面生成部３５２は、関心領域選択部８１２から出力された関心領域の情報に基づいて選択関心領域表示画面データを生成する（ステップＳ１１４）。その後、表示制御部３６２は、ステップＳ１１４で生成された選択関心領域表示画面データに対応する選択関心領域表示画面を表示部３４に表示させる（ステップＳ１１５）。これによりユーザは、ブックマーク登録された関心領域のうち所望の関心領域を閲覧することができる。
【０１３１】
図３０は、選択関心領域表示画面の表示例を示す図である。同図に示す選択関心領域表示画面５０２は、トレンド表示領域に表示され、タイトル表示領域５１１と、トレンド表示領域５２１とを有する。タイトル表示領域５１１には、選択された関心領域の始点の日時情報（「２．２０１３／５／２０  １８：３０」）に加え、拡大ボタン５１２、戻るボタン５１３、および進むボタン５１４が表示される。関心領域５２２は、トレンド表示領域５２１の中央に位置している。トレンド表示領域５２１の下方には、「続行？」という文字と、「Ｙｅｓ」、「Ｎｏ」のボタンが表示されている。ユーザは、他の関心領域の選択を希望する場合にはマウスポインタＭを「Ｙｅｓ」ボタンに位置合わせしてマウスをクリックする。一方、ユーザは、関心領域の選択を終了する場合には、マウスポインタＭを「Ｎｏ」ボタンに位置合わせしてマウスをクリックする。図３０において、トレンドグラフ等は省略して記載している。なお、タイトルに関心領域の始点の日時情報を表示する代わりに、ユーザが設定入力したタイトルや内部計器のＴＡＧ情報等を表示するようにしてもよい。
【０１３２】
拡大ボタン５１２は、表示中の関心領域の拡大指示信号の入力を受け付ける機能を有している。拡大ボタン５１２にマウスポインタを合わせた状態でマウスがクリックされると、関心領域の拡大トレンド画面が生成される。なお、関心領域の内部にマウスポインタを合わせてクリックまたはダブルクリック等の操作を行うことによって拡大トレンド画面の表示指示を入力する構成としてもよい。
【０１３３】
戻るボタン５１３は、一つ前に登録された関心領域へ表示を移行する指示入力を受け付ける。図３１は、図３０に示す選択関心領域表示画面５０２において、戻るボタン５１３が選択された場合に表示される関心領域画面の表示例を示す図である。図３１に示す関心領域表示画面５０３は、タイトル表示領域５３１と、トレンド表示領域５４１とを有する。タイトル表示領域５３１には、選択された関心領域の始点の日時情報（「１．２０１３／２／９  １２：１０」）に加え、拡大ボタン５３２、戻るボタン５３３、および進むボタン５３４が表示されている。関心領域５４２は、トレンド表示領域５４１の中央に位置している。図３１においても、トレンドグラフ等は省略して記載している。
【０１３４】
進むボタン５１４は、一つ後に登録された関心領域へ表示を移行する指示入力を受け付ける。例えば、図３０に示す選択関心領域表示画面５０２において、進むボタン５１４が選択されると、図２９の選択画面におけるメニュー「３．２０１４／１／１５  ９：００」に相当する関心領域表示画面が表示部３４で表示されることとなる。
【０１３５】
この後、入力部３１が選択続行の指示信号の入力を受け付けた場合（ステップＳ１１６：Ｙｅｓ）、オペレータステーション８はステップＳ１１２に戻る。一方、入力部３１が選択続行の指示信号の入力を受け付けず、終了指示信号の入力を受け付けた場合（ステップＳ１１６：Ｎｏ）、オペレータステーション８は関心領域選択処理を終了する。
【０１３６】
ステップＳ１１２において、入力部３１がブックマーク登録済みの関心領域の選択入力を受け付けた場合（ステップＳ１１２：Ｎｏ）、オペレータステーション８はステップＳ１１７へ移行する。
【０１３７】
ステップＳ１１７において、入力部３１が関心領域選択処理を終了する信号の入力を受け付けた場合（ステップＳ１１７：Ｙｅｓ）、オペレータステーション８は関心領域選択処理を終了してメインルーチンへ戻る。一方、ステップＳ１１７において、入力部３１が関心領域変更処理を終了する信号の入力を受け付けない場合（ステップＳ１１７：Ｎｏ）、オペレータステーション８はステップＳ１１２へ戻る。
【０１３８】
図３２は、すでに１つのブックマーク登録済み関心領域が選択された場合の選択用画面の表示例を示す図である。同図に示す選択用画面５０４では、複数のメニューのうち、選択済みのメニュー「２．２０１３／５／２０  １８：３０」は太字で囲まれている。図３２に示す状態でメニュー「４．２０１４／４／１０  １５：２５」が選択されると、選択関心領域表示画面では２つの関心領域が表示される。
【０１３９】
図３３は、２つのブックマーク登録済み関心領域が選択された場合の表示部３４における選択関心領域表示画面の表示例を示す図である。図３３に示す選択関心領域表示画面５０５は、トレンド表示領域に表示され、２つのタイトル表示領域５５１、５５２と、２つのトレンド表示領域５５３、５５４とを有する。タイトル表示領域５５１には、１番目に選択された関心領域の始点の日時情報（「２．２０１３／５／２０  １８：３０」）が表示され、タイトル表示領域５５２には、２番目に選択された関心領域の始点の日時情報（「４．２０１４／４／１０  １５：２５」）が表示される。トレンド表示領域５５３には、１番目に選択された第１関心領域５５５（図３０の関心領域５２２に対応）が表示される。トレンド表示領域５５４には、２番目に選択された第２関心領域５５６が表示される。選択関心領域表示画面５０５においても、「続行？」という文字と、「Ｙｅｓ」、「Ｎｏ」のボタンが表示されている。この後、関心領域の選択が繰り返されるたびに、選択関心領域表示画面には、選択された全ての関心領域が表示される。なお、１番目に選択された方を下に表示してもよいし、２つの関心領域を左右に並べて表示してもよい。また、これらの文字およびボタンの表示位置は図３３に示すものに限られるわけではない。また、タイトル表示領域５５１、５５２に、拡大ボタン、戻るボタン、および進むボタンを表示して、選択によってブックマーク登録済みの関心領域を切り換えることができるようにしてもよい。
【０１４０】
以上説明した関心領域選択処理（ステップＳ６９）の後、入力部３１が関心領域の拡大指示信号の入力を受け付けた場合（ステップＳ７０：Ｙｅｓ）、オペレータステーション８はステップＳ７１へ移行する。一方、入力部３１が関心領域の拡大指示信号の入力を受け付けない場合（ステップＳ７０：Ｎｏ）、オペレータステーション８はステップＳ７４へ移行する。
【０１４１】
まず、入力部３１が関心領域の拡大指示信号の入力を受け付けた場合（ステップＳ７０：Ｙｅｓ）を説明する。この場合、拡大トレンド画面生成部３５３は、関心領域をトレンド表示領域の全域へ拡大した拡大トレンド画面データを生成する（ステップＳ７１）。その後、表示制御部３６２は、拡大トレンド画面を表示部３４に表示させる（ステップＳ７２）。なお、拡大トレンド画面を表示する際に、その拡大トレンド画面がブックマーク登録されたものであるか否かを識別できるような表示を追加してもよい。
【０１４２】
ステップＳ７２の後、入力部３１がトレンド表示終了の指示信号の入力を受け付けたとき（ステップＳ７３：Ｙｅｓ）、オペレータステーション８はトレンド画面表示処理を終了する。一方、ステップＳ７３において、入力部３１がトレンド表示終了の指示信号の入力を受け付けない場合（ステップＳ７３：Ｎｏ）、オペレータステーション８はステップＳ７３を繰り返す。
【０１４３】
次に、入力部３１が関心領域の拡大指示信号の入力を受け付けない場合（ステップＳ７０：Ｎｏ）を説明する。この場合において、入力部３１が関心領域の変更指示入力を受け付けたとき（ステップＳ７４：Ｙｅｓ）、オペレータステーション８はステップＳ６９へ戻る。この場合、ステップＳ６９での関心領域選択処理は、初期化された状態から行われるものとするが、選択用画面において、前回の関心領域選択処理で選択した関心領域を識別可能な状態で表示するようにしてもよい。
【０１４４】
ステップＳ７０で入力部３１が関心領域の拡大指示信号の入力を受け付けない場合（ステップＳ７０：Ｎｏ）において、入力部３１が関心領域の変更指示入力を受け付けないとき（ステップＳ７４：Ｎｏ）、オペレータステーション８はステップＳ６７へ移行する。
【０１４５】
以上説明した本発明の実施の形態３によれば、実施の形態１と同様の効果に加えて、ブックマーク登録機能を有することにより、ユーザは所望の関心領域を一時的ではなく記憶させておくことができる。また、本実施の形態３によれば、ブックマーク登録された関心領域を選択して閲覧する機能を有することにより、過去に選択した関心領域を有効に活用して、一段ときめの細かい監視を行うことが可能となる。
【０１４６】
なお、本実施の形態３において、ブックマーク登録済みの関心領域が選択された場合において、その周辺にブックマーク登録済みの他の関心領域が存在しているとき、これらを一括して表示するようにしてもよい。図３４は、この場合の関心領域表示画面の表示例を示す図である。同図に示す関心領域表示画面５０６は、タイトル表示領域５６１と、トレンド表示領域５７１とを有する。タイトル表示領域５６１には、選択された関心領域の始点の日時情報（「３．２０１４／１／１５  ９：００」）に加え、拡大ボタン５６２、戻るボタン５６３、および進むボタン５６４が表示される。トレンド表示領域５７１には、選択された関心領域５７２に加えて、その周辺でブックマーク登録済みの２つの関心領域５７３、５７４が同時に表示されている。このような表示方法を採用することにより、ユーザはより効率的に過去に選択してブックマーク登録された関心領域の情報を得ることができる。
【０１４７】
図３４に示す場合において、例えば関心領域５７２だけを太枠で表示するなどして他の関心領域５７３、５７４との差別化を図り、ユーザが選択した関心領域５７２を明示するようにしてもよい。この場合には、ユーザが選択した関心領域をトレンド表示領域の中央に配置させる必要はない。
【０１４８】
ここまで説明した図３４は、関心領域５７２と関心領域５７３、５７４とが重なっていない場合を例示している。これに対し、関心領域が重なっている場合には、他と重なっていない部分にマウスポインタを合わせてクリックすることで、全体を一意の関心領域として設定することができる。また、同様の操作を行うことで、重なった関心領域のうちの１つを拡大表示させるようにしてもよい。一方、重なっている関心領域をクリックした場合には、重なっている部分のみを新たな関心領域として設定するようにしてもよいし、重なっている関心領域から１つの関心領域を選択して拡大表示するための選択画面を表示してユーザに選択を促すようにしてもよい。
【０１４９】
なお、本実施の形態３において、ブックマーク情報記憶部８２１をデータベースステーション４に設けてもよい。この場合には、第２通信部３３を介してデータベースステーション４との間で適宜通信を行うことにより、上述した表示方法を実現することとなる。
【０１５０】
（実施の形態４）
本発明の実施の形態４は、監視システムが備える表示装置において、トレンド画面上での多様な処理を実行することができ、特に異なる関心領域同士を容易にかつ正確に比較することができるとともに、関心領域を正確に把握できるようにすることを目的とする。本発明の実施の形態４は、複数の関心領域を拡大する際に、拡大対象とする領域を一段と正確に把握するための構成を有することを特徴とする。本実施の形態４に係る表示装置は、実施の形態１で説明したオペレータステーション３と同様の構成を有しており、監視システム１の一部をなす。以下、監視システム１が有する構成要素と同じ構成要素については、図２と同一の符号を付して説明する。
【０１５１】
本実施の形態４において、関心領域表示画面生成部３５２は、トレンド表示領域の背景色の特性を変更することにより、背景色特性変更画面データを生成する。関心領域表示画面生成部３５２が変更する背景色の特性として、例えば透過性、光の三属性である色相、彩度、明度のいずれか一つ、または透過性および光の三属性のうち複数を組み合わせたものを挙げることができる。
【０１５２】
図３５は、本実施の形態４に係る表示装置が実行する表示方法の処理の概要を示すフローチャートである。図３５では、オペレータステーション３が行うトレンド画面表示処理の概要を示している。
【０１５３】
ステップＳ１３１、Ｓ１３２の処理は、実施の形態１で説明したステップＳ１、Ｓ２の処理にそれぞれ対応している。図３６は、表示部３４におけるトレンド画面の表示例を示す図である。同図に示すトレンド画面６０１は、３つの内部計器Ａ、Ｂ、Ｃのトレンドを表示している。トレンド画面６０１は、タイトル表示領域６１１と、数値情報表示領域６１２と、トレンド表示領域６１３とを有する。タイトル表示領域６１１には、「トレンド画面」というタイトルが表示されている。数値情報表示領域６１２には、例えば各内部計器の最新の測定値（ＰＶ）、データ取得期間、計測周期、縦罫線間隔等の数値情報が表示されている。トレンド表示領域６１３には、内部計器Ａ、Ｂ、Ｃのトレンドをそれぞれ示す折れ線のトレンドグラフ６１４、６１５、６１６に加え、表示範囲を縦方向および横方向にそれぞれスクロールするための縦スクロールバー６１７および横スクロールバー６１８が表示されている。なお、図３６では、３つの内部計器のトレンドを表示している場合を例示しているが、表示対象のトレンドの数はこれに限られるわけではない。
【０１５４】
ステップＳ１３２の後、入力部３１が拡大処理の開始指示信号の入力を受け付けた場合（ステップＳ１３３：Ｙｅｓ）、オペレータステーション３は、拡大処理を行う（ステップＳ１３４）。本実施の形態４において、開始指示信号は、ユーザが入力部３１のマウスを操作することによってトレンド画面上の所望の位置にマウスポインタを移動した後、マウスボタンをクリックすることによって入力される。以下、図３７に示すフローチャートを参照して、拡大処理の概要を説明する。
【０１５５】
まず、関心領域表示画面生成部３５２は、ステップＳ１３３で入力された拡大処理の開始指示信号をトリガとして、トレンド表示領域の背景色の特性を変更することにより、背景色特性変更画面データを生成する（ステップＳ１５１）。続いて、表示制御部３６２は、背景色特性変更画面を表示部３４に表示させる（ステップＳ１５２）。図３８は、表示部３４における背景色特性変更画面の表示例を示す図である。同図に示す背景色特性変更画面６０２は、もとのトレンド画面６０１のトレンド表示領域６１３全体を網掛けした態様で表示している。この網掛けは、背景色の特性として、その透過性を低くして表示していることを模式的に示している。
【０１５６】
ステップＳ１５２の後、オペレータステーション８は、関心領域の数を示すカウンタｎを１に初期化する（ステップＳ１５３）。
【０１５７】
続いて、入力部３１が第ｎ関心領域の選択入力を受け付けた場合（ステップＳ１５４：Ｙｅｓ）、オペレータステーション３はステップＳ１５５へ移行する。本実施の形態４において、拡大表示対象領域の選択入力操作は、マウスのドラッグ操作によって実現される。このドラッグ操作は、例えば通常のパーソナルコンピュータが備える表示モニタ上で表示されるウィンドウの面積を拡大する際に行う操作と同様である。マウスがドラッグされると、関心領域はマウスポインタの始点と終点を対角線とする矩形領域として定義される。
【０１５８】
関心領域設定部３６１は、入力部３１が受け付けた第ｎ関心領域の選択入力に基づいてトレンド画面における第ｎ関心領域の設定を行い（ステップＳ１５５）、設定した情報を関心領域情報記憶部３７２へ一時的に格納する。
【０１５９】
続いて、関心領域表示画面生成部３５２は、関心領域情報記憶部３７２を参照し、設定された関心領域の背景色の特性を元に戻すことによって全関心領域表示画面データを生成する（ステップＳ１５６）。
【０１６０】
この後、表示制御部３６２は、全関心領域表示画面データに対応する全関心領域表示画面を表示部３４に表示させる（ステップＳ１５７）。図３９は、全関心領域表示画面の表示例（第１例）を示す図である。同図に示す全関心領域表示画面６０３は、トレンド表示領域６１３の中に第１関心領域６１３ａをトレンド画面６０１と同様の特性を有する背景色で表示する一方、非関心領域６１３ｂは背景色特性変更画面６０２と同様の特性を有する背景色で表示している。図３９では、ユーザが第１関心領域６１３ａの左上の頂点（図３８を参照）から右下の頂点までマウスでドラッグ操作を行うことによって関心領域を設定した場合を示している（第１関心領域６１３ａ内の破線の矢印Ｌを参照）。矢印Ｌは、図３８の背景色特性変更画面６０２から図３９の全関心領域表示画面６０３に至るまでのマウスポインタＭの軌跡を示す仮想的な線であって実際の画面上に表示されるわけではない。ただし、軌跡を明示するために画面上で表示させるようにすることももちろん可能である。
【０１６１】
図３９では、トレンド表示領域の略中央部に選択確定確認表示部６１９が表示される。選択確定確認表示部６１９には、「選択確定？」という文字とともに、「Ｙｅｓ」および「Ｎｏ」のボタンが表示される。ユーザがマウスポインタＭを用いて「Ｙｅｓ」を選択すると、第１関心領域６１３ａのみの選択で関心領域の選択が確定される。一方、ユーザがマウスポインタＭを用いて「Ｎｏ」を選択すると、さらに別の関心領域を選択することができる。
【０１６２】
図４０は、関心領域表示画面の表示例（第２例）を示す図である。同図に示す全関心領域表示画面６０４は、トレンド表示領域６１３の中に第１関心領域６１３ａおよび第２関心領域６１３ｃをトレンド画面６０１と同様の特性を有する背景色でそれぞれ表示する一方、非関心領域６１３ｄは背景色特性変更画面６０２と同様の特性を有する背景色で表示している。図４０では、図３９に示す状態で、選択確定確認表示部６１９の「Ｎｏ」ボタンが選択された後、ユーザが第２関心領域６１３ｃを設定するためのマウスのドラッグ操作を行った状態を示している。この際、第２関心領域６１３ｃの領域が第１関心領域６１３ａと合同な領域となるように設定されている場合には、マウスのドラッグ操作とは無関係に第２関心領域６１３ｃを決定してもよい。全関心領域表示画面６０４にも、選択確定確認表示部６１９が表示されている。図４０に示す状態で関心領域の選択を確定する場合、ユーザはマウスの操作によって「Ｙｅｓ」ボタンを選択する一方、さらに別の関心領域を選択する場合には、「Ｎｏ」ボタンを選択すればよい。
【０１６３】
ステップＳ１５７において全関心領域表示画面が表示部３４で表示された後、オペレータステーション８は、カウンタｎを１増やす処理を行う（ステップＳ１５８）。
【０１６４】
続いて、入力部３１が関心領域の選択確定信号の入力を受け付けた場合（ステップＳ１５９：Ｙｅｓ）、拡大トレンド画面生成部３５３は、選択された領域をトレンド表示領域全域に拡大して表示する拡大トレンド画面データを生成する（ステップＳ１６０）。上述したように、ステップＳ１５９における選択確定信号の入力受付は、図３９等の選択確定確認表示部６１９の「Ｙｅｓ」ボタンを選択することにより実行される。
【０１６５】
拡大トレンド画面生成部３５３は、関心領域をトレンド表示領域６１３の全域に拡大する。本実施の形態４において、拡大トレンド画面生成部３５３は、拡大する際に、拡大対象とする領域のトレンドに関する状態情報を再取得して、拡大するトレンド表示領域６１３のスケール（縦スケール、横スケール）に合わせて再描画する。このため、関心領域の縦横比（アスペクト比）がトレンド表示領域の縦横比と等しくない場合、縦方向と横方向の拡大率は異なる。例えば、図３９に示す場合、第１関心領域６１３ａの横方向の拡大率の方が縦方向の拡大率よりも大きくなる。
【０１６６】
拡大トレンド画面生成部３５３は、第１関心領域６１３ａの周辺の非関心領域６１３ｂについても拡大トレンド画面データを生成する。この際、拡大トレンド画面生成部３５３は、拡大前の第１関心領域６１３ａおよび非関心領域６１３ｂの背景色の特性を保持したまま、拡大トレンド画面データを生成する。これにより、入力部３１が拡大トレンド画面のスクロール操作の入力を受け付けた場合、表示部３４でスクロール画面をスムーズに表示させることが可能となる（後述するステップＳ１３８を参照）。
【０１６７】
ステップＳ１５４において入力部３１が関心領域の選択入力を受け付けない場合（ステップＳ１５４：Ｎｏ）、およびステップＳ１５９において入力部３１が関心領域の選択確定信号の入力を受け付けない場合（ステップＳ１５９：Ｎｏ）、オペレータステーション３はステップＳ１６１へ移行する。
【０１６８】
ステップＳ１６１の処理は、実施の形態１で説明した図６のステップＳ１９と同様である。ステップＳ１６１において、入力部３１が拡大処理を終了する信号の入力を受け付けない場合（ステップＳ１６１：Ｎｏ）、オペレータステーション３はステップＳ１５４へ戻る。
【０１６９】
以上説明したステップＳ１３４の拡大処理に続く処理を説明する。ステップＳ１３４での拡大処理の後、拡大トレンド画面データが生成されて存在している場合（ステップＳ１３５：Ｙｅｓ）、表示制御部３６２は、拡大トレンド画面を表示部３４に表示させる（ステップＳ１３６）。図４１は、拡大トレンド画面の表示例（第１例）を示す図である。同図に示す拡大トレンド画面６０５は、図４０の全関心領域表示画面６０４における第１関心領域６１３ａおよび第２関心領域６１３ｃをトレンド表示領域６１３で縦に並べて拡大した画面である。この場合の第１関心領域６１３ａおよび第２関心領域６１３ｃの拡大率は、上述したように、横方向の拡大率が縦方向の拡大率よりも大きい。
【０１７０】
この後、入力部３１が、拡大トレンド画面のスクロール操作の入力を受け付けた場合（ステップＳ１３７：Ｙｅｓ）、表示制御部３６２は、スクロール量に応じて表示する部分を変更して（スクロールして）表示部３４に表示させる（ステップＳ１３８）。図４２は、スクロール量に応じた拡大トレンド画面の表示例（第２例）を示す図である。同図に示す拡大トレンド画面６０６は、第１関心領域６１３ａに対して縦スクロールバー６１７ａを用いて画面を上向きにスクロールする一方、横スクロールバー６１８ａを用いて画面を右向きにスクロールするとともに、第２関心領域６１３ｃに対して縦スクロールバー６１７ｂを用いて画面を上向きにスクロールする一方、横スクロールバー６１８ｂを用いて画面を右向きにスクロールした後の表示例を示している。拡大トレンド画面６０６では、第１関心領域６１３ａおよび第２関心領域６１３ｃと非関心領域６１３ｄの背景色の特性が全関心領域表示画面６０４と同じである。このため、ユーザは、拡大トレンド画面をスクロールした場合、第１関心領域６１３ａおよび第２関心領域６１３ｃと非関心領域６１３ｄの境界を正確に把握することができる。
【０１７１】
続いて、入力部３１が縮小指示の入力を受け付けた場合（ステップＳ１３９：Ｙｅｓ）、オペレータステーション３はステップＳ１３１へ戻る。
【０１７２】
ステップＳ１３９において、入力部３１が縮小表示の入力を受け付けない場合（ステップＳ１３９：Ｎｏ）において、トレンド表示終了の指示信号の入力を受け付けたとき（ステップＳ１４０：Ｙｅｓ）、オペレータステーション３はトレンド画面表示処理を終了する。一方、ステップＳ１４０において、入力部３１がトレンド表示終了の指示信号の入力を受け付けない場合（ステップＳ１４０：Ｎｏ）、オペレータステーション３はステップＳ１３７へ戻る。
【０１７３】
ステップＳ１３３において、入力部３１が拡大処理の開始指示信号の入力を受け付けない場合（ステップＳ１３３：Ｎｏ）、およびステップＳ１３５において、拡大トレンド画面データが生成されていない場合（ステップＳ１３５：Ｎｏ）、制御部３６は、状態情報記憶部３７１が記憶する状態情報が更新されているか否かを判断する（ステップＳ１４１）。判断の結果、状態情報が更新されている場合（ステップＳ１４１：Ｙｅｓ）、オペレータステーション３はステップＳ１３１へ戻る。一方、判断の結果、状態情報が更新されていない場合（ステップＳ１４１：Ｎｏ）、オペレータステーション３はステップＳ１４２へ移行する。ステップＳ１４２の処理は、実施の形態１で説明した図４のステップＳ９と同様である。
【０１７４】
ステップＳ１３７において、拡大トレンド画面のスクロール操作の入力を受け付けない場合（ステップＳ１３７：Ｎｏ）、オペレータステーション３はステップＳ１３９へ移行する。
【０１７５】
以上説明した本発明の実施の形態４によれば、実施の形態１と同様の効果に加え、拡大対象の領域として設定される関心領域をそれ以外の非関心領域とは異なる背景色の特性で表示する関心領域表示画面を生成するため、表示画面の一部を拡大する際に、関心領域を正確に把握することができる。
【０１７６】
また、本実施の形態４によれば、非関心領域では背景色の透過性を低下させることで関心領域との特性の違いを生み出しているため、非関心領域のトレンドも把握することができる。
【０１７７】
また、本実施の形態４によれば、拡大トレンド画面を生成する際、関心領域周辺の非関心領域も拡大するため、スクロールすることによって関心領域の周辺のトレンドも確認することができる。加えて、非関心領域の背景色の特性は拡大前後で同じであるため、ユーザは拡大後も関心領域と非関心領域を明確に区別することができる。
【０１７８】
また、本実施の形態４によれば、ユーザはマウスのドラッグアンドドロップ操作を行うだけで、関心領域の設定および拡大トレンド画面の生成を実行することができるため、簡単な操作で所望の拡大トレンド画面を見ることができる。
【０１７９】
ところで、トレンド画面のようにトレンドグラフを表示する画面では、例えば関心領域を単なる枠で表示しても、グラフとの見分けがつきにくくなってしまうおそれがある。これに対して、本実施の形態４においては、関心領域と非関心領域で背景色の特性を変更しているため、トレンドグラフを含むような画面内で関心領域を設定する場合であっても、関心領域を明確に認識することが可能となる。
【０１８０】
（実施の形態４の変形例１）
図４３は、本実施の形態４の変形例１に係る表示部３４における拡大トレンド画面の表示例を示す図である。同図に示す拡大トレンド画面６０７は、図４０に示す第１関心領域６１３ａおよび第２関心領域６１３ｃの縦横の比率を変えずに同じ倍率でそれぞれ拡大して表示したものである。拡大トレンド画面６０７のトレンド表示領域６１３’内の第１関心領域６１３ａ’および第２関心領域６１３ｃ’では、縦方向が最大である一方、横方向は最大ではない。このため、拡大トレンド画面では、横方向に沿って非関心領域６１３ｄ’が表示されている。なお、拡大トレンド画面６０７は、２つの関心領域の横幅がほぼ一致した場合を示しているが、これはあくまでも一例に過ぎない。
【０１８１】
（実施の形態４の変形例２）
図４４は、本実施の形態４の変形例２に係る表示部３４における拡大トレンド画面の表示例を模式的に示す図である。同図に示す拡大トレンド画面６０８は、トレンド表示領域６１３’’の第１関心領域６１３ａ’’および第２関心領域６１３ｃ’’の表示範囲が、各表示領域の全域よりも小さくなっており、周縁部に非関心領域６１３ｄ’’が表示されている。このような表示を行うことにより、ユーザは拡大トレンド画面でも、関心領域と非関心領域の境界を正確に把握することができる。
【０１８２】
以上説明した本実施の形態４の変形例１および２が、実施の形態４と同様の効果を奏するものであることはいうまでもない。
【０１８３】
（実施の形態５）
本発明の実施の形態５は、監視システムが備える表示装置において、トレンド画面上での多様な処理を実行することができ、特にユーザが所望する関心領域を記憶させておくことを目的とする。本発明の実施の形態５は、１つの関心領域を拡大する際に、拡大対象とする領域を一段と正確に把握するための構成を有することを特徴とする。図４５は、本実施の形態５に係る表示装置であるオペレータステーションの構成を示すブロック図である。同図に示すオペレータステーション９は、実施の形態３で説明したオペレータステーション８と同様の構成を有しており、監視システム１の一部をなす。以下、監視システム１が有する構成要素と同じ構成要素については、図２３と同一の符号を付して説明する。
【０１８４】
オペレータステーション９が備える画像処理部９１は、トレンド画面データを生成するトレンド画面生成部９１１と、トレンド画面で設定される関心領域を表示する関心領域表示画面データを生成する関心領域表示画面生成部９１２と、関心領域を拡大した拡大トレンド画面データを生成する拡大トレンド画面生成部９１３と、を有する。画像処理部９１は、ＣＰＵや各種演算回路等を用いて実現される。
【０１８５】
関心領域表示画面生成部９１２は、トレンド画面の中で関心領域として設定された領域をそれ以外の非関心領域と識別可能に表示する関心領域表示画面データを生成する。具体的には、関心領域表示画面生成部９１２は、入力部３１が拡大処理の開始指示信号の入力を受け付けると、トレンド表示領域の背景色の特性を変更することにより、背景色特性変更画面データを生成する。その後、入力部３１が関心領域の選択入力を受け付けると、関心領域表示画面生成部９１２は、トレンド表示領域の中に関心領域をトレンド画面と同様の特性を有する背景色で表示する一方、非関心領域は背景色特性変更画面と同様の特性を有する背景色で表示している。関心領域表示画面生成部９１２が変更する背景色の特性は、上述した実施の形態４と同様である。
【０１８６】
オペレータステーション９が実行するトレンド画面表示処理の概要は、図２４に示すフローチャートと同様であるが、拡大処理（ステップＳ６５）の内容が異なる。以下、図４６に示すフローチャートを参照して、オペレータステーション９が実行する拡大処理の概要を説明する。
【０１８７】
図４６において、ステップＳ１７１〜Ｓ１７２の処理は、図３７のステップＳ１５１〜Ｓ１５２の処理とそれぞれ同様である。図４７は、表示部３４におけるトレンド画面の表示例を示す図である。図４７に示すトレンド画面７０１は、図３６に示すトレンド画面６０１と同様の構成を有している。このため、トレンド画面６０１と対応する部分にはトレンド画面６０１と同じ符号を付してある。また、トレンド画面７０１も、３つの内部計器Ａ、Ｂ、Ｃのトレンドをそれぞれ示す折れ線のトレンドグラフ７１１、７１２、７１３を表示する場合を例示しているが、表示対象のトレンドの数はこれに限られるわけではない。
【０１８８】
図４８は、表示部３４における背景色特性変更画面の表示例を示す図である。同図に示す背景色特性変更画面７０２は、もとのトレンド画面７０１のトレンド表示領域６１３全体を網掛けした態様で表示している。この網掛けは、背景色の特性として、その透過性を低くして表示していることを模式的に示している。
【０１８９】
この後、入力部３１が関心領域の選択入力を受け付けた場合（ステップＳ１７３：Ｙｅｓ）、オペレータステーション９はステップＳ１７４へ移行する。本実施の形態５において、拡大表示対象領域の選択入力操作は、実施の形態４と同様にマウスのドラッグ操作によって実現される。
【０１９０】
関心領域設定部３６１は、入力部３１が受け付けた関心領域の選択入力に基づいて、トレンド画面における関心領域の設定を行い、設定した情報を関心領域情報記憶部３７２へ一時的に格納する（ステップＳ１７４）。
【０１９１】
続いて、関心領域表示画面生成部９１２は、関心領域情報記憶部３７２を参照し、設定された関心領域の背景色の特性を元に戻すことによって関心領域表示画面データを生成する（ステップＳ１７５）。
【０１９２】
この後、表示制御部３６２は、関心領域表示画面を表示部３４に表示させる（ステップＳ１７６）。図４９は、関心領域表示画面の表示例を示す図である。同図に示す関心領域表示画面７０３は、トレンド表示領域６１３の中に関心領域７２１をトレンド画面７０１と同様の特性を有する背景色で表示する一方、非関心領域７２２は背景色特性変更画面７０２と同様の特性を有する背景色で表示している。図４９では、ユーザが関心領域７２１の左上の頂点（図４８を参照）から右下の頂点までマウスでドラッグ操作を行うことによって関心領域を設定した場合を示している（関心領域７２１内の破線の矢印Ｌを参照）。なお、図４９においても、矢印Ｌは仮想的な線であるが、画面上で表示させるようにしてもよい。
【０１９３】
続いて、入力部３１が関心領域の選択確定信号の入力を受け付けた場合（ステップＳ１７７：Ｙｅｓ）において、入力部３１が確定した関心領域のブックマーク登録指示信号の入力を受け付けたとき（ステップＳ１７８：Ｙｅｓ）、ブックマーク登録部８１１は、該当する関心領域の情報に対してブックマーク登録情報を付加し、ブックマーク情報記憶部８２１へ格納する（ステップＳ１７９）。
【０１９４】
続いて、拡大トレンド画面生成部９１３は、選択された領域をトレンド表示領域６１３全域に拡大して表示する拡大トレンド画面データを生成する（ステップＳ１８０）。本実施の形態５において、選択確定信号は、実施の形態４と同様にマウスのドロップ操作によって実現される。図４９では、関心領域７２１の左上の頂点が始点であり、右下の頂点が終点である場合を示している。ステップＳ１８０の後、オペレータステーション９は拡大処理を終了してメインルーチン（図２４を参照）へ戻る。
【０１９５】
図５０は、拡大トレンド画面の表示例を示す図である。同図に示す拡大トレンド画面７０４は、図４９の関心領域表示画面７０３における関心領域７２１をトレンド表示領域６１３の全域へ拡大した画面である。この場合の関心領域７２１の拡大率は、上述したように、横方向の拡大率が縦方向の拡大率よりも大きい。
【０１９６】
ステップＳ１７８において、入力部３１が、確定した関心領域のブックマーク登録指示信号の入力を受け付けない場合（ステップＳ１７８：Ｎｏ）、オペレータステーション９はステップＳ１８０へ移行する。
【０１９７】
ステップＳ１７３において入力部３１が関心領域の選択入力を受け付けない場合（ステップＳ１７３：Ｎｏ）、およびステップＳ１７７において入力部３１が関心領域の選択確定信号の入力を受け付けない場合（ステップＳ１７７：Ｎｏ）、オペレータステーション９はステップＳ１８１へ移行する。
【０１９８】
ステップＳ１８１において、入力部３１が拡大処理を終了する信号の入力を受け付けた場合（ステップＳ１８１：Ｙｅｓ）、オペレータステーション９は拡大処理を終了してメインルーチンへ戻る。一方、ステップＳ１８１において、入力部３１が拡大処理を終了する信号の入力を受け付けない場合（ステップＳ１８１：Ｎｏ）、オペレータステーション９はステップＳ１７３へ戻る。
【０１９９】
以上説明した本発明の実施の形態５によれば、トレンド画面上で多様な処理を行うことができる。特に、本実施の形態５によれば、ブックマーク登録機能を有することにより、ユーザは所望の関心領域を記憶させておくことができる。
【０２００】
また、本実施の形態５によれば、ブックマーク登録された関心領域を選択して閲覧する機能を有することにより、過去に選択した関心領域を有効に活用して、一段ときめの細かい監視を行うことが可能となる。
【０２０１】
また、本実施の形態５によれば、拡大対象の領域として設定される関心領域をそれ以外の非関心領域とは異なる背景色の特性で表示する関心領域表示画面を生成するため、表示画面の一部を拡大する際に、関心領域を正確に把握することができる。
【０２０２】
また、本実施の形態５によれば、非関心領域では背景色の透過性を低下させる点や、拡大トレンド画面を生成する際、関心領域周辺の非関心領域も拡大する点が実施の形態４と同じであるため、実施の形態４と同様、ユーザは非関心領域のトレンドも把握することができたり、拡大後も関心領域と非関心領域を明確に区別したりすることができる。さらに、トレンドのようなトレンドグラフを表示する画面に対して好適である点も、実施の形態と同様である。
【０２０３】
また、本実施の形態５によれば、ブックマーク登録機能を有することにより、ユーザは所望の関心領域を一時的ではなく記憶させることができ。また、本実施の形態５によれば、ブックマーク登録された関心領域を選択して閲覧する機能を有することにより、過去に選択した関心領域を有効に活用して、一段ときめの細かい監視を行うことが可能となる。
【０２０４】
また、本実施の形態５によれば、実施の形態４と同様、ユーザはマウスのドラッグアンドドロップ操作を行うだけで関心領域を選択することができることに加え、関心領域の位置、形状または大きさを変更することができるため、関心領域の設定を一段と柔軟に行うことができる。
【０２０５】
なお、実施の形態５において、図５０に示す拡大トレンド画面７０４から図４９に示す関心領域表示画面７０３へ戻る場合には、マウスホイールを操作することにより、操作量（回転量）に応じて徐々に画像を縮小していくようにしてもよい。この場合、ユーザは途中でマウスホイールの操作を止めることにより、中間状態のトレンド画面を見ることができる。ここで、関心領域と非関心領域の背景色の特性を保持したままとすれば、ユーザは画像を縮小している途中の段階でも関心領域と非関心領域を明確に識別することができるのでより好ましい。
【０２０６】
また、実施の形態５において、図５０に示す拡大トレンド画面７０４から図４９に示す関心領域表示画面７０３へ戻る場合、表示部で「戻る」と表示されたアイコンを選択することによって処理を開始するようにしてもよい。この場合には、拡大トレンド画面７０４から関心領域表示画面７０３へ徐々に縮小していくように表示すれば、上述したマウスホイール操作と同様の視覚的な効果を得ることができる。さらに、表示部で「停止」と表示されたアイコンを選択することによって縮小処理を停止させるような構成とすれば、マウスホイール操作を縮小途中で止めた場合と同様の効果を得ることができる。
【０２０７】
（その他の実施の形態）
ここまで、本発明を実施するための形態を説明してきたが、本発明は上述した実施の形態１〜５のみによって限定されるべきものではない。例えば、実施の形態１に対して、実施の形態２〜４の少なくともいずれか１つの実施の形態の内容を組み合わせて実施することも可能である。
【０２０８】
また、トレンド画面以外の各種監視システム用画面を表示する場合にも、上記同様の機能を具備させることが可能である。
【０２０９】
また、本明細書では、プラントに設置された機器の状態情報のトレンドについて説明してきたが、より一般にトレンドグラフを用いてトレンドを表示する場合に適用すれば、上記実施の形態と同様の効果を得ることができる。このようなトレンドとしては、例えば株価、為替、商品先物取引等のトレンドを挙げることができる。
【０２１０】
また、本明細書で記載したフローチャートにおける処理の順序はあくまでも一例に過ぎず、本発明を実施する際に矛盾のない範囲で変更することが可能である。
【０２１１】
また、先に説明したＤＣＳ以外に、ＳＣＡＤＡ（Supervisory  Control  And  Data  Acquisition）ソフトが組み込まれた表示機能を有するパーソナルコンピュータによる監視システムや、プログラマブルコントローラと表示部とを備えたプログラマブルコントロールシステムによる監視システムに対しても、本発明を適用することができる。
【符号の説明】
【０２１２】
１  監視システム
２  制御装置
３、８、９  オペレータステーション
４  データベースステーション
５  プリンタ
６  制御ネットワーク
７  情報ネットワーク
３１  入力部
３２  第１通信部
３３  第２通信部
３４  表示部
３５、９１  画像処理部
３６、８１  制御部
３７、８２  記憶部
１００  表示画面
１００ａ  メニュー表示領域
１００ｂ  状態情報表示領域
１０１、６０１、７０１  トレンド画面
１０２、１０３、１０４、１１１、６０３、６０４  全関心領域表示画面
１０５、１０６、１０７、１０８、１０９、１１０、１１２、１１３、６０５、６０６、６０７、６０８、７０４  拡大トレンド画面
１２１  登録確認画面
２０１、６１４、６１５、６１６、７１１、７１２、７１３  トレンドグラフ
２１１、２１２、２１３、２１４、２１５、２１６、２２１、２２１ａ、２２２、２２３、２２４、２２５、２２６、２３１  拡大トレンドグラフ
２５１  第１関心領域
２５２、２５４  第２関心領域
２５３  第３関心領域
３０１、３１１、５２１、５４１、５５３、５５４、５７１、６１３、６１３’、６１３’’  トレンド表示領域
３０２、５５５、６１３ａ、６１３ａ’、６１３ａ’’  第１関心領域
３０３、３０３ａ、５５６、６１３ｃ、６１３ｃ’、６１３ｃ’’  第２関心領域
３５１、９１１  トレンド画面生成部
３５２、９１２  関心領域表示画面生成部
３５３、９１３  拡大トレンド画面生成部
３６１  関心領域設定部
３６２  表示制御部
３６３  制御パラメータ変更部
３７１  状態情報記憶部
３７２  関心領域情報記憶部
３７３  レイアウト情報記憶部
３７４  プログラム記憶部
４０１  登録確認表示部
５０１、５０４  選択用画面
５０２、５０５  選択関心領域表示画面
５０３、５０６、７０３  関心領域表示画面
５１１、５３１、５５１、５５２、５６１、６１１  タイトル表示領域
５１２、５３２、５６２  拡大ボタン
５１３、５３３、５６３  戻るボタン
５１４、５３４、５６４  進むボタン
５２２、５４２、５７２、５７３、５７４、７２１  関心領域
６０２、７０２  背景色特性変更画面
６１２  数値情報表示領域
６１３ｂ、６１３ｄ、６１３ｄ’、６１３ｄ’’、７２２  非関心領域
６１７、６１７ａ、６１７ｂ  縦スクロールバー
６１８、６１８ａ、６１８ｂ  横スクロールバー
６１９  選択確定確認表示部
８１１  ブックマーク登録部
８１２  関心領域選択部
８２１  ブックマーク情報記憶部
Ｍ  マウスポインタ
Ｐ  プラント
Ｐ１、Ｐ２  機器
【図１】
2016143140.tif 000003
【図２】
2016143140.tif 000004
【図３】
2016143140.tif 000005
【図４】
2016143140.tif 000006
【図５】
2016143140.tif 000007
【図６】
2016143140.tif 000008
【図７】
2016143140.tif 000009
【図８】
2016143140.tif 000010
【図９】
2016143140.tif 000011
【図１０】
2016143140.tif 000012
【図１１】
2016143140.tif 000013
【図１２】
2016143140.tif 000014
【図１３】
2016143140.tif 000015
【図１４】
2016143140.tif 000016
【図１５】
2016143140.tif 000017
【図１６】
2016143140.tif 000018
【図１７】
2016143140.tif 000019
【図１８】
2016143140.tif 000020
【図１９】
2016143140.tif 000021
【図２０】
2016143140.tif 000022
【図２１】
2016143140.tif 000023
【図２２】
2016143140.tif 000024
【図２３】
2016143140.tif 000025
【図２４】
2016143140.tif 000026
【図２５】
2016143140.tif 000027
【図２６】
2016143140.tif 000028
【図２７】
2016143140.tif 000029
【図２８】
2016143140.tif 000030
【図２９】
2016143140.tif 000031
【図３０】
2016143140.tif 000032
【図３１】
2016143140.tif 000033
【図３２】
2016143140.tif 000034
【図３３】
2016143140.tif 000035
【図３４】
2016143140.tif 000036
【図３５】
2016143140.tif 000037
【図３６】
2016143140.tif 000038
【図３７】
2016143140.tif 000039
【図３８】
2016143140.tif 000040
【図３９】
2016143140.tif 000041
【図４０】
2016143140.tif 000042
【図４１】
2016143140.tif 000043
【図４２】
2016143140.tif 000044
【図４３】
2016143140.tif 000045
【図４４】
2016143140.tif 000046
【図４５】
2016143140.tif 000047
【図４６】
2016143140.tif 000048
【図４７】
2016143140.tif 000049
【図４８】
2016143140.tif 000050
【図４９】
2016143140.tif 000051
【図５０】
2016143140.tif 000052
【手続補正書】
【提出日】平成27年9月9日(2015.9.9)
【手続補正１】
【補正対象書類名】特許請求の範囲
【補正対象項目名】全文
【補正方法】変更
【補正の内容】
【特許請求の範囲】
【請求項１】
画像を表示可能な表示部と、
前記表示部の所定の表示領域に表示するトレンド画面のデータを生成するトレンド画面生成部と、
前記トレンド画面内で設定される互いに異なる複数の関心領域の情報を前記トレンド画面とともに表示する関心領域表示画面のデータを生成する関心領域表示画面生成部と、
各関心領域の画面上での配置、縦横のスケールおよび表示する値の範囲に関する情報を含む所定のレイアウト情報にしたがって、前記複数の関心領域を拡大した拡大トレンド画面のデータを生成する拡大トレンド画面生成部と、
前記複数の関心領域の設定入力および前記拡大トレンド画面の生成指示入力を受け付ける入力部と、
前記トレンド画面、前記関心領域表示画面および前記拡大トレンド画面を前記表示部にそれぞれ表示させる表示制御部と、
を備えたことを特徴とする表示装置。
【請求項２】
前記拡大トレンド画面生成部は、
前記複数の関心領域を拡大して一つの方向に沿って並べることによって前記拡大トレンド画面のデータを生成することを特徴とする請求項１に記載の表示装置。
【請求項３】
前記拡大トレンド画面生成部は、
前記複数の関心領域を同じ大きさで並べることによって前記拡大トレンド画面のデータを生成することを特徴とする請求項２に記載の表示装置。
【請求項４】
前記拡大トレンド画面生成部は、
前記複数の関心領域を並べる方向と直交する方向のスケールを互いに等しくすることによって前記拡大トレンド画面のデータを生成することを特徴とする請求項２に記載の表示装置。
【請求項５】
前記拡大トレンド画面生成部は、
前記複数の関心領域を拡大して重畳することによって前記拡大トレンド画面のデータを生成することを特徴とする請求項１に記載の表示装置。
【請求項６】
前記トレンド画面は、横軸を時間軸とする一方、縦軸を所定の測定値の軸として該測定値の時間変化を示すトレンドグラフを表示し、
前記拡大トレンド画面生成部は、
前記複数の関心領域をそれぞれ通過する前記トレンドグラフの各部分における線の特徴を関心領域ごとに変えることによって前記拡大トレンド画面のデータを生成することを特徴とする請求項５に記載の表示装置。
【請求項７】
前記トレンド画面は、横軸を時間軸とする一方、縦軸を所定の測定値の軸として該測定値の時間変化を示すトレンドグラフを表示し、
前記拡大トレンド画面生成部は、
前記複数の関心領域を通過する前記トレンドグラフのいずれか２つにおける同じ時間の測定値の差が閾値以上である領域の背景色の特性と該閾値未満である領域の背景色の特性とを変えることによって前記拡大トレンド画面のデータを生成することを特徴とする請求項５に記載の表示装置。
【請求項８】
前記複数の関心領域は、互いの面積および形状がそれぞれ同じであることを特徴とする請求項１に記載の表示装置。
【請求項９】
前記拡大トレンド画面生成部は、
前記複数の関心領域の形状を各関心領域の縦横比に応じて拡大することを特徴とする請求項１に記載の表示装置。
【請求項１０】
前記入力部は、
前記複数の関心領域の選択確定入力を受け付けた後に各関心領域の位置、面積または形状を変更する指示入力を受け付け可能であり、
前記関心領域表示画面生成部は、
前記入力部が受け付けた指示入力に基づいて前記関心領域表示画面における前記複数の関心領域の位置、形状または大きさを変更可能であることを特徴とする請求項１に記載の表示装置。
【請求項１１】
前記関心領域画面生成部は、
前記トレンド画面内で設定される前記複数の関心領域における背景色の特性と前記トレンド画面内の前記複数の関心領域以外の非関心領域における背景色の特性とが異なる関心領域表示画面のデータを生成することを特徴とする請求項１に記載の表示装置。
【請求項１２】
前記背景色の特性は、色の透過性であることを特徴とする請求項１１に記載の表示装置。
【請求項１３】
プラントに設置された複数の機器に接続された制御装置と通信可能に接続されてなり、
前記表示部は、
前記制御装置から前記複数の機器の状態をそれぞれ示す複数の状態情報を取得して表示することを特徴とする請求項１に記載の表示装置。
【請求項１４】
前記トレンド画面は、
前記複数の状態情報の少なくともいずれか一つのトレンドを示すトレンドグラフを表示することを特徴とする請求項１３に記載の表示装置。
【請求項１５】
画像を表示可能な表示部と、
前記表示部の所定の表示領域に表示するトレンド画面のデータを生成するトレンド画面生成部と、
前記トレンド画面内で設定される関心領域を識別可能に表示する関心領域表示画面のデータを生成する関心領域表示画面生成部と、
前記表示領域内で少なくとも前記関心領域を拡大した拡大トレンド画面のデータを生成する拡大トレンド画面生成部と、
前記関心領域の設定入力、前記拡大トレンド画面の生成指示入力および前記関心領域のブックマーク登録指示信号の入力を受け付ける入力部と、
前記トレンド画面、前記関心領域表示画面および前記拡大トレンド画面を前記表示部にそれぞれ表示させる表示制御部と、
前記入力部が入力を受け付けたブックマーク登録指示信号に基づいて、前記関心領域に対してブックマークに登録されたことを示す情報を付加するブックマーク登録部と、
を備えたことを特徴とする表示装置。
【請求項１６】
前記入力部は、前記ブックマークに登録された前記関心領域の選択信号の入力を受け付け、
前記ブックマーク登録部によって前記ブックマークに登録された前記関心領域の情報を記憶する記憶部と、
前記記憶部から前記選択信号に対応する前記関心領域を選択する関心領域選択部と、
をさらに備えたことを特徴とする請求項１５に記載の表示装置。
【請求項１７】
前記関心領域表示画面は、
前記トレンド画面内で設定される関心領域における背景色の特性と前記トレンド画面内の前記関心領域以外の非関心領域における背景色の特性とが異なることを特徴とする請求項１５に記載の表示装置。
【請求項１８】
プラントに設置された複数の機器に接続された制御装置と、
前記制御装置と通信可能に接続され、前記制御装置から前記複数の機器の状態をそれぞれ示す複数の状態情報を取得して前記表示部で表示する請求項１に記載の表示装置と、
を備えたことを特徴とする監視システム。
【請求項１９】
プラントに設置された複数の機器に接続された制御装置と、
前記制御装置と通信可能に接続され、前記制御装置から前記複数の機器の状態をそれぞれ示す複数の状態情報を取得して前記表示部で表示する請求項１５に記載の表示装置と、
を備えたことを特徴とする監視システム。
【請求項２０】
画像を表示可能な表示部を備えた表示装置が行う表示方法であって、
前記表示部の所定の表示領域にトレンド画面を表示するトレンド画面表示ステップと、
前記トレンド画面内に含まれる複数の関心領域の設定入力を受け付ける関心領域設定ステップと、
前記トレンド画面内で設定される複数の関心領域を示す情報を前記トレンド画面とともに表示する関心領域表示画面表示ステップと、
各関心領域の画面上での配置、縦横のスケールおよび表示する値の範囲に関する情報を含む所定のレイアウト情報にしたがって、前記複数の関心領域を拡大した拡大トレンド画面を表示する拡大トレンド画面表示ステップと、
を含むことを特徴とする表示方法。
【請求項２１】
画像を表示可能な表示部を備えた表示装置が行う表示方法であって、
前記表示部の所定の表示領域にトレンド画面を表示するトレンド画面表示ステップと、
前記トレンド画面内に含まれる関心領域の設定入力を受け付ける関心領域設定ステップと、
前記関心領域を識別可能に表示する関心領域表示画面を表示する関心領域表示画面表示ステップと、
前記表示領域内で少なくとも前記関心領域を拡大した拡大トレンド画面を表示する拡大トレンド画面表示ステップと、
ブックマーク登録指示信号の入力に応じて前記関心領域に対してブックマークに登録されたことを示す情報を付加するブックマーク登録ステップと、
を含むことを特徴とする表示方法。
【請求項２２】
画像を表示可能な表示部を備えた表示装置に、
前記表示部の所定の表示領域にトレンド画面を表示するトレンド画面表示ステップと、
前記トレンド画面内に含まれる複数の関心領域の設定入力を受け付ける関心領域設定ステップと、
前記トレンド画面内で設定される複数の関心領域を示す情報を前記トレンド画面とともに表示する関心領域表示画面表示ステップと、
各関心領域の画面上での配置、縦横のスケールおよび表示する値の範囲に関する情報を含む所定のレイアウト情報にしたがって、前記複数の関心領域を拡大した拡大トレンド画面を表示する拡大トレンド画面表示ステップと、
を実行させることを特徴とする表示プログラム。
【請求項２３】
画像を表示可能な表示部を備えた表示装置に、
前記表示部の所定の表示領域にトレンド画面を表示するトレンド画面表示ステップと、
前記トレンド画面内に含まれる関心領域の設定入力を受け付ける関心領域設定ステップと、
前記関心領域を識別可能に表示する関心領域表示画面を表示する関心領域表示画面表示ステップと、
前記表示領域内で少なくとも前記関心領域を拡大した拡大トレンド画面を表示する拡大トレンド画面表示ステップと、
ブックマーク登録指示信号の入力に応じて前記関心領域に対してブックマークに登録されたことを示す情報を付加するブックマーク登録ステップと、
を実行させることを特徴とする表示プログラム。
【請求項２４】
前記トレンド画面は、横軸を時間軸とする一方、縦軸を所定の測定値の軸として該測定値の時間変化を示すトレンドグラフを表示し、
前記拡大トレンド画面生成部は、
前記測定値と所定の閾値との大小関係に応じて前記トレンドグラフの線種および線色の少なくともいずれか一方を変えることによって前記拡大トレンド画面のデータを生成することを特徴とする請求項１に記載の表示装置。
【国際調査報告】
2016143140.tif 000053
2016143140.tif 000054
2016143140.tif 000055
2016143140.tif 000056